(57)【特許請求の範囲】
【請求項１】
無線通信システムにおける端末によって実行されるアップリンク制御情報（ＵＣＩ）を送信する方法であって、前記方法は、
第１のＵＣＩと第２のＵＣＩとを含むビット列を生成することであって、前記第１のＵＣＩは、ＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）情報を含み、前記第２のＵＣＩは、周期的チャネル状態情報（ＣＳＩ）であり、前記第２のＵＣＩのビットは、前記第１のＵＣＩのビットの端に追加される、ことと、
前記ビット列におけるビットの数が所定のビットの数よりも大きい場合、ビットシーケンスを生成することであって、前記ビットシーケンスは、第２のセグメントのビットが後続する第１のセグメントのビットからなり、前記第１のセグメントのビットは、前記ビット列からの偶数番号のビットを含み、前記第２のセグメントのビットは、前記ビット列からの奇数番号のビットを含む、ことと、
前記ビットシーケンスを前記第１のセグメントのビットと前記第２のセグメントのビットとに分割することと、
前記第１のセグメントのビットにチャネルコーディングを実行することと、
前記第２のセグメントのビットにチャネルコーディングを実行することと、
前記チャネルコーディングされたＵＣＩを送信することと
を含む、方法。
【請求項２】
前記所定のビットの数は、１１である、請求項１に記載の方法。
【請求項３】
前記第１のセグメントのビット及び前記第２のセグメントのビットの各々は、リードマラー（ＲＭ）コードによってチャネルコーディングされる、請求項１に記載の方法。
【請求項４】
前記第１のＵＣＩがＡＣＫ／ＮＡＣＫ情報及びスケジューリング要求（ＳＲ）を含む場合、前記ビット列は、前記ＡＣＫ／ＮＡＣＫ及びＳＲのビットの端に前記周期的ＣＳＩのビットを追加することによって生成される、請求項１に記載の方法。
【請求項５】
前記ＳＲは、１ビットを含む、請求項４に記載の方法。
【請求項６】
前記第１のＵＣＩ及び前記第２のＵＣＩは、同じアップリンクサブフレームで送信されるように構成される、請求項１に記載の方法。
【請求項７】
前記同じアップリンクサブフレームは、上位階層信号によって構成される、請求項６に記載の方法。
【請求項８】
前記チャネルコーディングされたＵＣＩをインターリービングすることをさらに含み、前記インターリービングすることは、前記チャネルコーディングされた第１のセグメントのビット及び第２のセグメントのビットの各々から、長さ２ビットのセグメントを交互に連接することを含む、請求項１に記載の方法。
【請求項９】
アップリンク制御情報を送信する装置であって、前記装置は、
無線信号を送信又は受信するＲＦ（Ｒａｄｉｏ  Ｆｒｅｑｕｅｎｃｙ）部と、
前記ＲＦ部と動作可能に連結されたプロセッサと
を含み、
前記プロセッサは、
第１のＵＣＩと第２のＵＣＩとを含むビット列を生成することであって、前記第１のＵＣＩは、ＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）情報を含み、前記第２のＵＣＩは、周期的チャネル状態情報（ＣＳＩ）であり、前記第２のＵＣＩのビットは、前記第１のＵＣＩのビットの端に追加される、ことと、
前記ビット列におけるビットの数が所定のビットの数よりも大きい場合、ビットシーケンスを生成することであって、前記ビットシーケンスは、第２のセグメントのビットが後続する第１のセグメントのビットからなり、前記第１のセグメントのビットは、前記ビット列からの偶数番号のビットを含み、前記第２のセグメントのビットは、前記ビット列からの奇数番号のビットを含む、ことと、
前記ビットシーケンスを前記第１のセグメントのビットと前記第２のセグメントのビットとに分割することと、
前記第１のセグメントのビットにチャネルコーディングを実行することと、
前記第２のセグメントのビットにチャネルコーディングを実行することと、
前記チャネルコーディングされたＵＣＩを送信することと
を行うために構成されている、装置。
【請求項１０】
前記第１のセグメントは、前記ビット列からの偶数番号のビットを同じ順序でさらに含み、前記第２のセグメントは、前記ビット列からの奇数番号のビットを同じ順序でさらに含む、請求項１に記載の方法。
【請求項１１】
前記第１のセグメントは、前記ビット列からの偶数番号のビットを同じ順序でさらに含み、前記第２のセグメントは、前記ビット列からの奇数番号のビットを同じ順序でさらに含む、請求項９に記載の装置。
【発明の詳細な説明】
【技術分野】
【０００１】
本発明は、無線通信に関し、より詳しくは、無線通信システムにおけるアップリンク制御情報送信方法及び装置に関する。
【背景技術】
【０００２】
広帯域無線通信システムの場合、限定された無線リソースの効率性を極大化するために効果的な送受信技法及び活用方案が提案されてきた。次世代無線通信システムで考慮されているシステムのうち一つが低い複雑度でシンボル間干渉（ＩＳＩ；Ｉｎｔｅｒ−Ｓｙｍｂｏｌ  Ｉｎｔｅｒｆｅｒｅｎｃｅ）効果を減殺させることができる直交周波数分割多重（ＯＦＤＭ；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）システムである。ＯＦＤＭは、直列に入力されるデータシンボルをＮ個の並列データシンボルに変換し、各々分離されたＮ個の副搬送波（ｓｕｂｃａｒｒｉｅｒ）にのせて送信する。副搬送波は、周波数次元で直交性を維持するようにする。各々の直交チャネルは、相互独立的な周波数選択的フェーディング（ｆｒｅｑｕｅｎｃｙ  ｓｅｌｅｃｔｉｖｅ  ｆａｄｉｎｇ）を経験するようになり、これによって、受信端での複雑度が減少し、送信されるシンボルの間隔が長くなってシンボル間干渉が最小化されることができる。
【０００３】
直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；以下、ＯＦＤＭＡという）は、ＯＦＤＭを変調方式に使用するシステムにおいて、利用可能な副搬送波の一部を各ユーザに独立的に提供することによって多重接続を実現する多重接続方法である。ＯＦＤＭＡは、副搬送波という周波数リソースを各ユーザに提供し、各々の周波数リソースは、多数のユーザに独立的に提供されて互いに重ならないことが一般的である。結局、周波数リソースは、ユーザ毎に相互排他的に割り当てられる。ＯＦＤＭＡシステムにおいて、周波数選択的スケジューリング（ｆｒｅｑｕｅｎｃｙ  ｓｅｌｅｃｔｉｖｅ  ｓｃｈｅｄｕｌｉｎｇ）を介して多重ユーザに対する周波数ダイバーシティ（ｆｒｅｑｕｅｎｃｙ  ｄｉｖｅｒｓｉｔｙ）を得ることができ、副搬送波に対する順列（ｐｅｒｍｕｔａｔｉｏｎ）方式によって副搬送波を多様な形態で割り当てることができる。そして、多重アンテナ（ｍｕｌｔｉｐｌｅ  ａｎｔｅｎｎａ）を利用した空間多重化技法により空間領域の効率性を高めることができる。
【０００４】
ＭＩＭＯ（Ｍｕｌｔｉｐｌｅ−Ｉｎｐｕｔ  Ｍｕｌｔｉｐｌｅ−Ｏｕｔｐｕｔ）技術は、多重送信アンテナと多重受信アンテナを使用してデータの送受信効率を向上させる。ＭＩＭＯシステムにおいて、ダイバーシティを具現するための技法には、ＳＦＢＣ（Ｓｐａｃｅ  Ｆｒｅｑｕｅｎｃｙ  Ｂｌｏｃｋ  Ｃｏｄｅ）、ＳＴＢＣ（Ｓｐａｃｅ  Ｔｉｍｅ  Ｂｌｏｃｋ  Ｃｏｄｅ）、ＣＤＤ（Ｃｙｃｌｉｃ  Ｄｅｌａｙ  Ｄｉｖｅｒｓｉｔｙ）、ＦＳＴＤ（ｆｒｅｑｕｅｎｃｙ  ｓｗｉｔｃｈｅｄ  ｔｒａｎｓｍｉｔ  ｄｉｖｅｒｓｉｔｙ）、ＴＳＴＤ（ｔｉｍｅ  ｓｗｉｔｃｈｅｄ  ｔｒａｎｓｍｉｔ  ｄｉｖｅｒｓｉｔｙ）、ＰＶＳ（Ｐｒｅｃｏｄｉｎｇ  Ｖｅｃｔｏｒ  Ｓｗｉｔｃｈｉｎｇ）、空間多重化（ＳＭ；Ｓｐａｔｉａｌ  Ｍｕｌｔｉｐｌｅｘｉｎｇ）等がある。受信アンテナ数と送信アンテナ数によるＭＩＭＯチャネル行列は、複数の独立チャネルに分解されることができる。各々の独立チャネルは、レイヤ（ｌａｙｅｒ）又はストリーム（ｓｔｒｅａｍ）という。レイヤの個数は、ランク（ｒａｎｋ）という。
【０００５】
アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）を介してアップリンク制御情報（ＵＣＩ；Ｕｐｌｉｎｋ  Ｃｏｎｔｒｏｌ  Ｉｎｆｏｒｍａｔｉｏｎ）が送信されることができる。アップリンク制御情報は、スケジューリング要求（ＳＲ；Ｓｃｈｅｄｕｌｉｎｇ  Ｒｅｑｕｅｓｔ）、ＨＡＲＱ（Ｈｙｂｒｉｄ  ＡＲＱ）のためのＡＣＫ／ＮＡＣＫ（Ａｃｋｎｏｗｌｅｄｇｅｍｅｎｔ／Ｎｏｎ−Ａｃｋｎｏｗｌｅｄｇｅｍｅｎｔ）信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）等の多様な種類の情報を含むことができる。ＰＵＣＣＨは、フォーマット（ｆｏｒｍａｔ）によって多様な種類の制御情報を伝送する。
【０００６】
最近、搬送波集約システム（ｃａｒｒｉｅｒ  ａｇｇｒｅｇａｔｉｏｎ  ｓｙｓｔｅｍ）が注目を浴びている。搬送波集約システムは、無線通信システムが広帯域をサポートしようとする時、目標とする広帯域より小さい帯域幅を有する１個以上の搬送波を集めて広帯域を構成するシステムを意味する。
【０００７】
搬送波集約システムにおいて、多様な種類のアップリンク制御情報を効率的で、且つ信頼性あるように送信するための方法が必要である。
【発明の概要】
【発明が解決しようとする課題】
【０００８】
本発明の技術的課題は、無線通信システムにおけるアップリンク制御情報送信方法及び装置を提供することにある。
【課題を解決するための手段】
【０００９】
一側面において、無線通信システムにおける端末により実行されるアップリンク制御情報（ＵＣＩ；Ｕｐｌｉｎｋ  Ｃｏｎｔｒｏｌ  Ｉｎｆｏｒｍａｔｉｏｎ）送信方法を提供する。前記方法は、第１のＵＣＩと第２のＵＣＩの順序に連接されたビット列を生成し、前記第１のＵＣＩは、ＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）を含み、前記第２のＵＣＩは、周期的（ｐｅｒｉｏｄｉｃ）チャネル状態情報（ｃｈａｎｎｅｌ  ｓｔａｔｅ  ｉｎｆｏｒｍａｔｉｏｎ：ＣＳＩ）であり、前記連接されたビット列は、前記第１のＵＣＩを示すビットの端（ｅｎｄ）に前記第２のＵＣＩを示すビットが追加（ａｐｐｅｎｄ）されたものであり；前記連接されたビット列のビット数が特定範囲を有する場合、前記連接されたビット列を第１のセグメント、第２のセグメントの順序に整列し、前記第１のセグメントは、前記連接されたビット列の偶数番目のビットを含み、前記第２のセグメントは、前記連接されたビット列の奇数番目のビットを含み；前記第１のセグメント及び前記第２のセグメントを各々チャネルコーディングし；及び、前記チャネルコーディングされたＵＣＩを送信することを特徴とする。
【００１０】
前記特定範囲は、１１超過２２以下である。
【００１１】
前記第１のセグメント及び前記第２のセグメントは、各々、リードマラー（Ｒｅｅｄ  Ｍｕｌｌｅｒ：ＲＭ）コードによりチャネルコーディングされる。
【００１２】
前記第１のＵＣＩがＡＣＫ／ＮＡＣＫ及びスケジューリング要求（ｓｃｈｅｄｕｌｉｎｇ  ｒｅｑｕｅｓｔ：ＳＲ）を含む場合、前記連接されたビット列は、前記ＡＣＫ／ＮＡＣＫを示すビット及び前記スケジューリング要求を示すビットの順序に連接されたビット列の端に前記周期的ＣＳＩを示すビットが追加（ａｐｐｅｎｄ）されたものである。
【００１３】
前記ＳＲを示すビットは、１ビットである。
【００１４】
前記第１のＵＣＩと前記第２のＵＣＩは、同じアップリンクサブフレームで送信されるように設定され、前記設定は、上位階層信号により受信される。
【００１５】
前記方法は、前記チャネルコーディングされたＵＣＩをインターリービングするステップをさらに含み、前記インターリービングは、前記チャネルコーディングされた第１のセグメントのビット及び第２のセグメントのビットの各々から得られた２ビットずつ交互に連接することである。
【００１６】
他の側面で提供されるアップリンク制御情報送信装置は、無線信号を送信又は受信するＲＦ（Ｒａｄｉｏ  Ｆｒｅｑｕｅｎｃｙ）部；及び、前記ＲＦ部と連結されるプロセッサ；を含み、前記プロセッサは、第１のＵＣＩと第２のＵＣＩの順序に連接されたビット列を生成し、前記第１のＵＣＩは、ＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）を含み、前記第２のＵＣＩは、周期的（ｐｅｒｉｏｄｉｃ）チャネル状態情報（ｃｈａｎｎｅｌ  ｓｔａｔｅ  ｉｎｆｏｒｍａｔｉｏｎ：ＣＳＩ）であり、前記連接されたビット列は、前記第１のＵＣＩを示すビットの端（ｅｎｄ）に前記第２のＵＣＩを示すビットが追加（ａｐｐｅｎｄ）されたものであり；前記連接されたビット列のビット数が特定範囲を有する場合、前記連接されたビット列を第１のセグメント、第２のセグメントの順序に整列し、前記第１のセグメントは、前記連接されたビット列の偶数番目のビットを含み、前記第２のセグメントは、前記連接されたビット列の奇数番目のビットを含み；前記第１のセグメント及び前記第２のセグメントを各々チャネルコーディングし；及び、前記チャネルコーディングされたＵＣＩを送信することを特徴とする。
本願明細書は、例えば、以下の項目も提供する。
（項目１）
無線通信システムにおける端末により実行されるアップリンク制御情報（ＵＣＩ；Ｕｐｌｉｎｋ  Ｃｏｎｔｒｏｌ  Ｉｎｆｏｒｍａｔｉｏｎ）送信方法において、
第１のＵＣＩと第２のＵＣＩの順序に連接されたビット列を生成し、前記第１のＵＣＩは、ＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）を含み、前記第２のＵＣＩは、周期的（ｐｅｒｉｏｄｉｃ）チャネル状態情報（ｃｈａｎｎｅｌ  ｓｔａｔｅ  ｉｎｆｏｒｍａｔｉｏｎ：ＣＳＩ）であり、前記連接されたビット列は、前記第１のＵＣＩを示すビットの端（ｅｎｄ）に前記第２のＵＣＩを示すビットが追加（ａｐｐｅｎｄ）されたものであり；
前記連接されたビット列のビット数が特定範囲を有する場合、前記連接されたビット列を第１のセグメント、第２のセグメントの順序に整列し、前記第１のセグメントは、前記連接されたビット列のビットインデックスが偶数であるビットを含み、前記第２のセグメントは、前記連接されたビット列のビットインデックスが奇数であるビットを含み；
前記第１のセグメント及び前記第２のセグメントを各々チャネルコーディングし；及び、
前記チャネルコーディングされたＵＣＩを送信することを特徴とする方法。
（項目２）
前記特定範囲は、１１超過２２以下であることを特徴とする項目１に記載の方法。
（項目３）
前記第１のセグメント及び前記第２のセグメントは、各々、リードマラー（Ｒｅｅｄ  Ｍｕｌｌｅｒ：ＲＭ）コードによりチャネルコーディングされることを特徴とする項目１に記載の方法。
（項目４）
前記第１のＵＣＩがＡＣＫ／ＮＡＣＫ及びスケジューリング要求（ｓｃｈｅｄｕｌｉｎｇ  ｒｅｑｕｅｓｔ：ＳＲ）を含む場合、前記連接されたビット列は、前記ＡＣＫ／ＮＡＣＫを示すビット及び前記スケジューリング要求を示すビットの順序に連接されたビット列の端に前記周期的ＣＳＩを示すビットが追加（ａｐｐｅｎｄ）されたものであることを特徴とする項目１に記載の方法。
（項目５）
前記ＳＲを示すビットは、１ビットであることを特徴とする項目４に記載の方法。
（項目６）
前記第１のＵＣＩと前記第２のＵＣＩは、同じアップリンクサブフレームで送信されるように設定されることを特徴とする項目１に記載の方法。
（項目７）
前記設定は、上位階層信号により受信されることを特徴とする項目６に記載の方法。
（項目８）
前記チャネルコーディングされたＵＣＩをインターリービングするステップをさらに含み、前記インターリービングは、前記チャネルコーディングされた第１のセグメントのビット及び第２のセグメントのビットの各々から得られた２ビットずつ交互に連接することであることを特徴とする項目１に記載の方法。
（項目９）
無線信号を送信又は受信するＲＦ（Ｒａｄｉｏ  Ｆｒｅｑｕｅｎｃｙ）部；及び、
前記ＲＦ部と連結されるプロセッサ；を含み、
前記プロセッサは、第１のＵＣＩと第２のＵＣＩの順序に連接されたビット列を生成し、前記第１のＵＣＩは、ＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）を含み、前記第２のＵＣＩは、周期的（ｐｅｒｉｏｄｉｃ）チャネル状態情報（ｃｈａｎｎｅｌ  ｓｔａｔｅ  ｉｎｆｏｒｍａｔｉｏｎ：ＣＳＩ）であり、前記連接されたビット列は、前記第１のＵＣＩを示すビットの端（ｅｎｄ）に前記第２のＵＣＩを示すビットが追加（ａｐｐｅｎｄ）されたものであり；
前記連接されたビット列のビット数が特定範囲を有する場合、前記連接されたビット列を第１のセグメント、第２のセグメントの順序に整列し、前記第１のセグメントは、前記連接されたビット列のビットインデックスが偶数であるビットを含み、前記第２のセグメントは、前記連接されたビット列のビットインデックスが奇数であるビットを含み；
前記第１のセグメント及び前記第２のセグメントを各々チャネルコーディングし；及び、
前記チャネルコーディングされたＵＣＩを送信することを特徴とするアップリンク制御情報送信装置。
【発明の効果】
【００１７】
互いに異なる種類のアップリンク制御情報（ＵＣＩ；Ｕｐｌｉｎｋ  Ｃｏｎｔｒｏｌ  Ｉｎｆｏｒｍａｔｉｏｎ）を同じサブフレーム（ｓｕｂｆｒａｍｅ）で送信する必要がある時、効率的に多重化して送信することができる。
【図面の簡単な説明】
【００１８】
【図１】３ＧＰＰ  ＬＴＥにおける無線フレーム（ｒａｄｉｏ  ｆｒａｍｅ）の構造を示す。
【図２】一つのダウンリンクスロットに対するリソースグリッド（ｒｅｓｏｕｒｃｅ  ｇｒｉｄ）の一例を示す。
【図３】ダウンリンクサブフレームの構造を示す。
【図４】アップリンクサブフレームの構造を示す。
【図５】単一搬送波システムと搬送波集約システムの比較例である。
【図６】ノーマルＣＰで、一つのスロットに対するＰＵＣＣＨフォーマット２／２ａ／２ｂのチャネル構造を示す。
【図７】ノーマルＣＰで、一つのスロットに対するＰＵＣＣＨフォーマット１ａ／１ｂを示す。
【図８】ノーマルＣＰ、ＰＵＣＣＨフォーマット２ａ／２ｂで、ＡＣＫ／ＮＡＣＫのコンスタレーションマッピングの例を示す。
【図９】拡張ＣＰで、ＡＣＫ／ＮＡＣＫとＣＱＩのジョイントコーディングの例を示す。
【図１０】ＡＣＫ／ＮＡＣＫとＳＲが多重化される方法を示す。
【図１１】ＡＣＫ／ＮＡＣＫとＳＲが同時送信される場合、コンスタレーションマッピングを示す。
【図１２】チャネルコーディングされたビットがコード−時間−周波数リソースにマッピングされる例を示す。
【図１３】ＰＵＣＣＨフォーマット３のチャネル構造を例示する。
【図１４】二重ＲＭコーディング過程を例示する。
【図１５】ＵＣＩビット列の分割方法を例示する。
【図１６】本発明の一実施例による二重ＲＭを利用したチャネルコーディング過程を示す。
【図１７】図１６のインターリーバを詳細に示す。
【図１８】図１６及び図１７で説明した方法を適用するフローチャートである。
【図１９】ＡＣＫ／ＮＡＣＫとＣＳＩを多重化して送信する時、リソース配置の例を示す。
【図２０】第１のリソースと第２のリソースを例示する。
【図２１】同じフォーマットを介してＡＣＫ／ＮＡＣＫとＣＳＩを多重化して送信することができる時、リソース選択方法の例を示す。
【図２２】第１のリソースと第２のリソースでのＵＣＩ構成の例を示す。
【図２３】ＡＣＫ／ＮＡＣＫとＣＳＩの個別コーディングを例示する。
【図２４】ＵＣＩのコーディング技法を例示する。
【図２５】ＵＣＩコンテンツ指示子を含む一例を示す。
【図２６】本発明の実施例が具現される基地局及び端末を示すブロック図である。
【発明を実施するための形態】
【００１９】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）等のような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）等のような無線技術で具現されることができる。ＩＥＥＥ８０２．１６ｍは、ＩＥＥＥ８０２．１６ｅの進化であり、ＩＥＥＥ８０２．１６ｅに基づいているシステムとの後方互換性（ｂａｃｋｗａｒｄ  ｃｏｍｐａｔｉｂｉｌｉｔｙ）を提供する。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進化である。説明を明確にするために、ＬＴＥ／ＬＴＥ−Ａを中心に記述するが、本発明の技術的思想がこれに制限されるものではない。
【００２０】
無線通信システムは、少なくとも一つの基地局（Ｂａｓｅ  Ｓｔａｔｉｏｎ、ＢＳ）を含む。各基地局は、特定の地理的領域に対して通信サービスを提供する。端末（Ｕｓｅｒ  Ｅｑｕｉｐｍｅｎｔ、ＵＥ）は、固定されてもよいし、移動性を有してもよく、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。基地局は、一般的に端末と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２１】
端末は、通常的に一つのセルに属し、端末が属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。サービング基地局は、一つ又は複数のサービングセルを提供することができる。
【００２２】
この技術は、ダウンリンク（ｄｏｗｎｌｉｎｋ）又はアップリンク（ｕｐｌｉｎｋ）に使われることができる。一般的に、ダウンリンクは、基地局から端末への通信を意味し、アップリンクは、端末から基地局への通信を意味する。
【００２３】
端末と基地局との間の無線インターフェースプロトコル（ｒａｄｉｏ  ｉｎｔｅｒｆａｃｅ  ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）モデルの下位３個階層に基づいてＬ１（第１の階層）、Ｌ２（第２の階層）、Ｌ３（第３の階層）に区分されることができる。
【００２４】
第１の階層である物理階層（Ｐｈｙｓｉｃａｌ  Ｌａｙｅｒ）は、上位にある媒体連結制御（Ｍｅｄｉｕｍ  Ａｃｃｅｓｓ  Ｃｏｎｔｒｏｌ；ＭＡＣ）階層とはトランスポートチャネル（ｔｒａｎｓｐｏｒｔ  ｃｈａｎｎｅｌ）を介して連結されており、このトランスポートチャネルを介してＭＡＣと物理階層との間のデータが移動する。そして、互いに異なる物理階層間、即ち、送信側と受信側の物理階層間は、物理チャネル（Ｐｈｙｓｉｃａｌ  Ｃｈａｎｎｅｌ）を介してデータが移動する。
【００２５】
第２の階層である無線データリンク階層は、ＭＡＣ階層、ＲＬＣ階層、ＰＤＣＰ階層で構成される。ＭＡＣ階層は、論理チャネルとトランスポートチャネルとの間のマッピングを担当する階層であり、ＲＬＣ階層から伝達されたデータを送信するために適切なトランスポートチャネルを選択し、必要な制御情報をＭＡＣ  ＰＤＵ（Ｐｒｏｔｏｃｏｌ  Ｄａｔａ  Ｕｎｉｔ）のヘッダ（ｈｅａｄｅｒ）に追加する。
【００２６】
ＲＬＣ階層は、ＭＡＣの上位に位置してデータの信頼性ある送信をサポートする。また、ＲＬＣ階層は、無線区間に適する適切な大きさのデータを構成するために、上位階層から伝達されたＲＬＣ  ＳＤＵ（Ｓｅｒｖｉｃｅ  Ｄａｔａ  Ｕｎｉｔ）を分割（Ｓｅｇｍｅｎｔａｔｉｏｎ）して連結（Ｃｏｎｃａｔｅｎａｔｉｏｎ）する。受信機のＲＬＣ階層は、受信したＲＬＣ  ＰＤＵから元来のＲＬＣ  ＳＤＵを復旧するために、データの再結合（Ｒｅａｓｓｅｍｂｌｅ）機能をサポートする。
【００２７】
ＰＤＣＰ階層は、パケット交換領域でのみ使われ、無線チャネルでパケットデータの送信効率を高めることができるようにＩＰパケットのヘッダを圧縮して送信することができる。
【００２８】
第３の階層であるＲＲＣ階層は、下位階層を制御する役割と共に、端末とネットワークとの間で無線リソース制御情報を交換する。端末の通信状態によって、アイドルモード（Ｉｄｌｅ  Ｍｏｄｅ）、ＲＲＣ連結モード（Ｃｏｎｎｅｃｔｅｄ  Ｍｏｄｅ）等、多様なＲＲＣ状態が定義され、必要によって、ＲＲＣ状態間転移が可能である。ＲＲＣ階層では、システム情報放送、ＲＲＣ接続管理手順、多重コンポーネント搬送波設定手順、無線ベアラ（Ｒａｄｉｏ  Ｂｅａｒｅｒ）制御手順、セキュリティ手順、測定手順、移動性管理手順（ハンドオーバ）等、無線リソース管理と関連した多様な手順が定義される。
【００２９】
無線通信システムは、ＭＩＭＯ（Ｍｕｌｔｉｐｌｅ−Ｉｎｐｕｔ  Ｍｕｌｔｉｐｌｅ−Ｏｕｔｐｕｔ）システム、ＭＩＳＯ（Ｍｕｌｔｉｐｌｅ−Ｉｎｐｕｔ  Ｓｉｎｇｌｅ−Ｏｕｔｐｕｔ）システム、ＳＩＳＯ（Ｓｉｎｇｌｅ−Ｉｎｐｕｔ  Ｓｉｎｇｌｅ−Ｏｕｔｐｕｔ）システム、及びＳＩＭＯ（Ｓｉｎｇｌｅ−Ｉｎｐｕｔ  Ｍｕｌｔｉｐｌｅ−Ｏｕｔｐｕｔ）システムのうちいずれか一つである。ＭＩＭＯシステムは、複数の送信アンテナ（ｔｒａｎｓｍｉｔ  ａｎｔｅｎｎａ）と複数の受信アンテナ（ｒｅｃｅｉｖｅ  ａｎｔｅｎｎａ）を使用する。ＭＩＳＯシステムは、複数の送信アンテナと一つの受信アンテナを使用する。ＳＩＳＯシステムは、一つの送信アンテナと一つの受信アンテナを使用する。ＳＩＭＯシステムは、一つの送信アンテナと複数の受信アンテナを使用する。以下、送信アンテナは、一つの信号又はストリームの送信に使われる物理的又は論理的アンテナを意味し、受信アンテナは、一つの信号又はストリームの受信に使われる物理的又は論理的アンテナを意味する。
【００３０】
図１は、３ＧＰＰ  ＬＴＥにおける無線フレーム（ｒａｄｉｏ  ｆｒａｍｅ）の構造を示す。
【００３１】
これは３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ  ３６．２１１  Ｖ８．２．０（２００８−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ  ８）”の５節を参照することができる。図１を参照すると、無線フレームは、１０個のサブフレーム（ｓｕｂｆｒａｍｅ）で構成され、一つのサブフレームは、２個のスロット（ｓｌｏｔ）で構成される。無線フレーム内のスロットは、＃０から＃１９までのスロット番号が付けられる。一つのサブフレームの送信にかかる時間をＴＴＩ（Ｔｒａｎｓｍｉｓｓｉｏｎ  Ｔｉｍｅ  Ｉｎｔｅｒｖａｌ）という。ＴＴＩは、データ送信のためのスケジューリング単位である。例えば、一つの無線フレームの長さは１０ｍｓであり、一つのサブフレームの長さは１ｍｓであり、一つのスロットの長さは０．５ｍｓである。
【００３２】
一つのスロットは、時間領域（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数領域で複数の副搬送波を含む。ＯＦＤＭシンボルは、３ＧＰＰ  ＬＴＥがダウンリンクでＯＦＤＭＡを使用するため、一つのシンボル区間（ｓｙｍｂｏｌ  ｐｅｒｉｏｄ）を表現するためのものであり、多重接続方式によって他の名称で呼ばれる。例えば、アップリンク多重接続方式にＳＣ−ＦＤＭＡが使われる場合、ＳＣ−ＦＤＭＡシンボルと呼ばれる。リソースブロック（ＲＢ；Ｒｅｓｏｕｒｃｅ  Ｂｌｏｃｋ）は、リソース割当単位であり、一つのスロットで複数の連続する副搬送波を含む。前記無線フレームの構造は、一例に過ぎない。したがって、無線フレームに含まれるサブフレームの個数やサブフレームに含まれるスロットの個数、又はスロットに含まれるＯＦＤＭシンボルの個数は、多様に変更されることができる。
【００３３】
３ＧＰＰ  ＬＴＥにおいて、ノーマル（ｎｏｒｍａｌ）サイクリックプレフィックス（ＣＰ；Ｃｙｃｌｉｃ  Ｐｒｅｆｉｘ）で、一つのスロットは７個のＯＦＤＭシンボルを含み、拡張（ｅｘｔｅｎｄｅｄ）ＣＰで、一つのスロットは６個のＯＦＤＭシンボルを含むと定義している。
【００３４】
無線通信システムは、大きく、ＦＤＤ（Ｆｒｅｑｕｅｎｃｙ  Ｄｉｖｉｓｉｏｎ  Ｄｕｐｌｅｘ）方式とＴＤＤ（Ｔｉｍｅ  Ｄｉｖｉｓｉｏｎ  Ｄｕｐｌｅｘ）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占めて、互いに異なる時間に行われる。ＴＤＤ方式のチャネル応答は、実質的に相互的（ｒｅｃｉｐｒｏｃａｌ）である。これは与えられた周波数領域でダウンリンクチャネル応答とアップリンクチャネル応答がほぼ同じであるということを意味する。したがって、ＴＤＤに基づいている無線通信システムにおいて、ダウンリンクチャネル応答は、アップリンクチャネル応答から得られることができるという長所がある。ＴＤＤ方式は、全体周波数帯域をアップリンク送信とダウンリンク送信が時分割するため、基地局によるダウンリンク送信と端末によるアップリンク送信とが同時に実行されることができない。アップリンク送信とダウンリンク送信がサブフレーム単位に区分されるＴＤＤシステムにおいて、アップリンク送信とダウンリンク送信は、互いに異なるサブフレームで実行される。
【００３５】
図２は、一つのダウンリンクスロットに対するリソースグリッド（ｒｅｓｏｕｒｃｅ  ｇｒｉｄ）の一例を示す。
【００３６】
ダウンリンクスロットは、時間領域で複数のＯＦＤＭシンボルを含み、周波数領域でＮＲＢ個のリソースブロックを含む。ダウンリンクスロットに含まれるリソースブロックの数ＮＲＢは、セルで設定されるダウンリンク送信帯域幅（ｂａｎｄｗｉｄｔｈ）に従属する。例えば、ＬＴＥシステムにおいて、ＮＲＢは、６〜１１０のうちいずれか一つである。一つのリソースブロックは、周波数領域で複数の副搬送波を含む。アップリンクスロットの構造も前記ダウンリンクスロットの構造と同様である。
【００３７】
リソースグリッド上の各要素（ｅｌｅｍｅｎｔ）をリソース要素（ｒｅｓｏｕｒｃｅ  ｅｌｅｍｅｎｔ）という。リソースグリッド上のリソース要素は、スロット内のインデックス対（ｐａｉｒ）（ｋ，ｌ）により識別されることができる。ここで、ｋ（ｋ＝０，．．．，ＮＲＢ×１２−１）は、周波数領域内の副搬送波インデックスであり、ｌ（ｌ＝０，．．．，６）は、時間領域内のＯＦＤＭシンボルインデックスである。
【００３８】
ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数と副搬送波の数は、これに制限されるものではない。ＯＦＤＭシンボルの数と副搬送波の数は、ＣＰの長さ、周波数間隔（ｆｒｅｑｕｅｎｃｙ  ｓｐａｃｉｎｇ）等によって多様に変更されることができる。例えば、ノーマルＣＰの場合、ＯＦＤＭシンボルの数は７であり、拡張されたＣＰの場合、ＯＦＤＭシンボルの数は６である。一つのＯＦＤＭシンボルにおける副搬送波の数は、１２８、２５６、５１２、１０２４、１５３６、及び２０４８のうち一つを選定して使用することができる。
【００３９】
図３は、ダウンリンクサブフレームの構造を示す。
【００４０】
ダウンリンクサブフレームは、時間領域で２個のスロットを含み、各スロットは、ノーマルＣＰで、７個のＯＦＤＭシンボルを含む。サブフレーム内の第１のスロットの前方部の最大３ＯＦＤＭシンボル（１．４Ｍｈｚ帯域幅に対しては最大４ＯＦＤＭシンボル）は、制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域である。
【００４１】
ＰＤＣＣＨは、ＤＬ−ＳＣＨ（Ｄｏｗｎｌｉｎｋ−Ｓｈａｒｅｄ  Ｃｈａｎｎｅｌ）のリソース割当及び送信フォーマット、ＵＬ−ＳＣＨ（Ｕｐｌｉｎｋ  Ｓｈａｒｅｄ  Ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令の集合及びＶｏＩＰ（Ｖｏｉｃｅ  ｏｖｅｒ  Ｉｎｔｅｒｎｅｔ  Ｐｒｏｔｏｃｏｌ）の活性化等を伝送することができる。複数のＰＤＣＣＨが制御領域内で送信されることができ、端末は、複数のＰＤＣＣＨをモニタリングすることができる。ＰＤＣＣＨは、一つ又は複数個の連続的なＣＣＥ（Ｃｏｎｔｒｏｌ  Ｃｈａｎｎｅｌ  Ｅｌｅｍｅｎｔｓ）の集約（ａｇｇｒｅｇａｔｉｏｎ）上に送信される。ＣＣＥは、無線チャネルの状態による符号化率をＰＤＣＣＨに提供するために使われる論理的割当単位である。ＣＣＥは、複数のリソース要素グループ（ｒｅｓｏｕｒｃｅ  ｅｌｅｍｅｎｔ  ｇｒｏｕｐ）に対応される。ＣＣＥの数とＣＣＥにより提供される符号化率の関係によって、ＰＤＣＣＨのフォーマット及び可能なＰＤＣＣＨのビット数が決定される。
【００４２】
基地局は、端末に送ろうとするＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣにはＰＤＣＣＨのオーナー（ｏｗｎｅｒ）や用途によって固有な識別子（ＲＮＴＩ；Ｒａｄｉｏ  Ｎｅｔｗｏｒｋ  Ｔｅｍｐｏｒａｒｙ  Ｉｄｅｎｔｉｆｉｅｒ）がマスキングされる。特定端末のためのＰＤＣＣＨの場合、端末の固有識別子、例えば、Ｃ−ＲＮＴＩ（Ｃｅｌｌ−ＲＮＴＩ）がＣＲＣにマスキングされることができる。または、ページングメッセージのためのＰＤＣＣＨの場合、ページング指示識別子、例えば、Ｐ−ＲＮＴＩ（Ｐａｇｉｎｇ−ＲＮＴＩ）がＣＲＣにマスキングされることができる。システム情報（ＳＩＢ；Ｓｙｓｔｅｍ  Ｉｎｆｏｒｍａｔｉｏｎ  Ｂｌｏｃｋ）のためのＰＤＣＣＨの場合、システム情報識別子、ＳＩ−ＲＮＴＩ（Ｓｙｓｔｅｍ  Ｉｎｆｏｒｍａｔｉｏｎ−ＲＮＴＩ）がＣＲＣにマスキングされることができる。端末のランダムアクセスプリアンブルの送信に対する応答であるランダムアクセス応答を指示するために、ＲＡ−ＲＮＴＩ（Ｒａｎｄｏｍ  Ａｃｃｅｓｓ−ＲＮＴＩ）がＣＲＣにマスキングされることができる。
【００４３】
図４は、アップリンクサブフレームの構造を示す。
【００４４】
アップリンクサブフレームは、周波数領域で制御領域とデータ領域とに分けられる。前記制御領域は、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。前記データ領域は、データが送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。
【００４５】
上位階層で指示される場合、端末は、ＰＵＳＣＨとＰＵＣＣＨの同時送信をサポートすることができる。
【００４６】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準に変更される。これをＰＵＣＣＨに割り当てられるＲＢ対がスロット境界で周波数がホッピング（ｆｒｅｑｕｅｎｃｙ−ｈｏｐｐｅｄ）されたという。端末がアップリンク制御情報を時間によって互いに異なる副搬送波を介して送信することによって、周波数ダイバーシティ利得を得ることができる。
【００４７】
ＰＵＳＣＨは、トランスポートチャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。前記トランスポートブロックは、ユーザ情報である。または、アップリンクデータは、多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ（Ｐｒｅｃｏｄｉｎｇ  Ｍａｔｒｉｘ  Ｉｎｄｉｃａｔｏｒ）、ＨＡＲＱ、ＲＩ（Ｒａｎｋ  Ｉｎｄｉｃａｔｏｒ）等がある。または、アップリンクデータは、制御情報のみで構成されることもできる。
【００４８】
一方、無線通信システムは、搬送波集約システムをサポートすることができる。ここで、搬送波集約とは、小さい帯域幅を有する複数の搬送波を集めて広帯域を構成することを意味する。搬送波集約システムは、無線通信システムが広帯域をサポートしようとする時、目標とする広帯域より小さい帯域幅を有する１個以上の搬送波を集めて広帯域を構成するシステムを意味する。
【００４９】
図５は、単一搬送波システムと搬送波集約システムの比較例である。
【００５０】
図５を参照すると、単一搬送波システムではアップリンクとダウンリンクに一つの搬送波のみを端末にサポートする。搬送波の帯域幅は多様であるが、端末に割り当てられる搬送波は一つである。一方、搬送波集約システムでは、端末に複数のコンポーネント搬送波（ｃｏｍｐｏｎｅｎｔ  ｃａｒｒｉｅｒ：ＣＣ）が割り当てられることができる。例えば、端末に６０ＭＨｚの帯域幅を割り当てるために、３個の２０ＭＨｚのコンポーネント搬送波が割り当てられることができる。コンポーネント搬送波には、ダウンリンクコンポーネント搬送波（ｄｏｗｎｌｉｎｋ  ＣＣ：ＤＬ  ＣＣ）とアップリンクコンポーネント搬送波（ｕｐｌｉｎｋＣＣ：ＵＬ  ＣＣ）とがある。
【００５１】
搬送波集約システムは、各搬送波が連続した連続（ｃｏｎｔｉｇｕｏｕｓ）搬送波集約システムと各搬送波が互いに離れている不連続（ｎｏｎ−ｃｏｎｔｉｇｕｏｕｓ）搬送波集約システムとに区分されることができる。以下、単に搬送波集約システムという場合、これはコンポーネント搬送波が連続の場合と不連続の場合の両方ともを含むと理解されなければならない。
【００５２】
１個以上のコンポーネント搬送波を集める時、対象となるコンポーネント搬送波は、既存システムとの後方互換性（ｂａｃｋｗａｒｄ  ｃｏｍｐａｔｉｂｉｌｉｔｙ）のために、既存システムで使用する帯域幅をそのまま使用することができる。例えば、３ＧＰＰ  ＬＴＥシステムでは、１．４ＭＨｚ、３ＭＨｚ、５ＭＨｚ、１０ＭＨｚ、１５ＭＨｚ、及び２０ＭＨｚの帯域幅をサポートし、３ＧＰＰ  ＬＴＥ−Ａシステムでは、前記３ＧＰＰ  ＬＴＥシステムの帯域幅のみを利用して２０ＭＨｚ以上の広帯域を構成することができる。または、既存システムの帯域幅をそのまま使用せずに新たな帯域幅を定義して広帯域を構成することもできる。
【００５３】
無線通信システムのシステム周波数帯域は、複数の搬送波周波数（Ｃａｒｒｉｅｒ−ｆｒｅｑｕｅｎｃｙ）に区分される。ここで、搬送波周波数は、セルの中心周波数（Ｃｅｎｔｅｒ  ｆｒｅｑｕｅｎｃｙ  ｏｆ  ａ  ｃｅｌｌ）を意味する。以下、セル（ｃｅｌｌ）は、ダウンリンク周波数リソースとアップリンク周波数リソースを意味する。または、セルは、ダウンリンク周波数リソースと選択的な（ｏｐｔｉｏｎａｌ）アップリンク周波数リソースとの組合せ（ｃｏｍｂｉｎａｔｉｏｎ）を意味する。また、一般的に搬送波集約（ＣＡ）を考慮しない場合、一つのセル（ｃｅｌｌ）は、アップリンク及びダウンリンク周波数リソースが常に対で存在することができる。
【００５４】
特定セルを介してパケットデータの送受信が行われるためには、まず、端末は、特定セルに対して設定（ｃｏｎｆｉｇｕｒａｔｉｏｎ）を完了しなければならない。ここで、設定（ｃｏｎｆｉｇｕｒａｔｉｏｎ）とは、該当セルに対するデータ送受信に必要なシステム情報受信を完了した状態を意味する。例えば、設定（ｃｏｎｆｉｇｕｒａｔｉｏｎ）は、データ送受信に必要な共通物理階層パラメータ、又はＭＡＣ階層パラメータ、又はＲＲＣ階層で特定動作に必要なパラメータを受信する全般の過程を含むことができる。設定完了したセルは、パケットデータが送信されることができるという情報のみ受信すると、直ちにパケットの送受信が可能になる状態である。
【００５５】
設定完了状態のセルは、活性化（Ａｃｔｉｖａｔｉｏｎ）又は非活性化（Ｄｅａｃｔｉｖａｔｉｏｎ）状態で存在することができる。ここで、活性化は、データの送信又は受信が行われ、又は準備状態（ｒｅａｄｙｓｔａｔｅ）にあることを意味する。端末は、自分に割り当てられたリソース（周波数、時間等）を確認するために、活性化されたセルの制御チャネル（ＰＤＣＣＨ）及びデータチャネル（ＰＤＳＣＨ）をモニタリング又は受信することができる。
【００５６】
非活性化は、トラフィックデータの送信又は受信が不能であり、測定や最小情報の送信／受信が可能であることを意味する。端末は、非活性化セルからパケット受信のために必要なシステム情報（ＳＩ）を受信することができる。一方、端末は、自分に割り当てられたリソース（周波数、時間等）を確認するために、非活性化されたセルの制御チャネル（ＰＤＣＣＨ）及びデータチャネル（ＰＤＳＣＨ）をモニタリング又は受信しない。
【００５７】
セルは、プライマリセル（ｐｒｉｍａｒｙ  ｃｅｌｌ）、セコンダリセル（ｓｅｃｏｎｄａｒｙ  ｃｅｌｌ）、サービングセル（ｓｅｒｖｉｎｇ  ｃｅｌｌ）に区分されることができる。
【００５８】
プライマリセルは、プライマリ周波数で動作するセルを意味し、端末が基地局との最初連結確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）又は連結再確立過程を実行するセル、又はハンドオーバ過程でプライマリセルとして指示されたセルを意味する。
【００５９】
セコンダリセルは、セコンダリ周波数で動作するセルを意味し、ＲＲＣ連結が確立された後に設定され、追加的な無線リソースの提供に使われる。
【００６０】
サービングセルは、ＣＡが設定されない、又はＣＡを提供することができない端末の場合には、プライマリセルで構成される。ＣＡが設定された場合、サービングセルという用語は、プライマリセル及び全てのセコンダリセルのうち、一つ又は複数のセルで構成された集合を示すために使われる。
【００６１】
即ち、プライマリセルは、ＲＲＣ連結（ｅｓｔａｂｌｉｓｈｍｅｎｔ）又は再連結（ｒｅ−ｅｓｔａｂｌｉｓｈｍｅｎｔ）状態で、セキュリティ入力（ｓｅｃｕｒｉｔｙ  ｉｎｐｕｔ）とＮＡＳ移動情報（ｍｏｂｉｌｉｔｙ  ｉｎｆｏｒｍａｔｉｏｎ）を提供する一つのサービングセルを意味する。端末の性能（ｃａｐａｂｉｌｉｔｉｅｓ）によって、少なくとも一つのセルがプライマリセルと共にサービングセル集合を形成するように構成されることができ、前記少なくとも一つのセルをセコンダリセルという。
【００６２】
したがって、一つの端末に対して設定されたサービングセルの集合は、一つのプライマリセルのみで構成され、又は一つのプライマリセルと少なくとも一つのセコンダリセルで構成されることができる。
【００６３】
ＰＣＣ（ｐｒｉｍａｒｙ  ｃｏｍｐｏｎｅｎｔ  ｃａｒｒｉｅｒ）は、プライマリセルに対応するＣＣを意味する。ＰＣＣは、端末が複数のＣＣのうち、初期に基地局と接続（Ｃｏｎｎｅｃｔｉｏｎ又はＲＲＣ  Ｃｏｎｎｅｃｔｉｏｎ）されるＣＣである。ＰＣＣは、複数のＣＣに対するシグナリングのための連結（Ｃｏｎｎｅｃｔｉｏｎ又はＲＲＣ  Ｃｏｎｎｅｃｔｉｏｎ）を担当し、端末と関連した連結情報である端末文脈情報（ＵＥ  Ｃｏｎｔｅｘｔ）を管理する特別なＣＣである。また、ＰＣＣは、端末と接続されることによってＲＲＣ連結状態（ＲＲＣ  Ｃｏｎｎｅｃｔｅｄ  Ｍｏｄｅ）の場合には常に活性化状態で存在する。
【００６４】
ＳＣＣ（ｓｅｃｏｎｄａｒｙ  ｃｏｍｐｏｎｅｎｔ  ｃａｒｒｉｅｒ）は、セコンダリセルに対応するＣＣを意味する。即ち、ＳＣＣは、ＰＣＣ以外に端末に割り当てられたＣＣであり、ＳＣＣは、端末がＰＣＣ以外に追加的なリソース割当等のために拡張された搬送波（Ｅｘｔｅｎｄｅｄ  Ｃａｒｒｉｅｒ）であり、活性化又は非活性化状態に分けられる。
【００６５】
プライマリセルに対応するダウンリンクコンポーネント搬送波をダウンリンク主コンポーネント搬送波（ＤｏｗｎＬｉｎｋ  Ｐｒｉｍａｒｙ  Ｃｏｍｐｏｎｅｎｔ  Ｃａｒｒｉｅｒ、ＤＬ  ＰＣＣ）といい、プライマリセルに対応するアップリンクコンポーネント搬送波をアップリンク主コンポーネント搬送波（ＵＬ  ＰＣＣ）という。また、ダウンリンクで、セコンダリセルに対応するコンポーネント搬送波をダウンリンク副コンポーネント搬送波（ＤＬ  Ｓｅｃｏｎｄａｒｙ  ＣＣ、ＤＬ  ＳＣＣ）といい、アップリンクで、セコンダリセルに対応するコンポーネント搬送波をアップリンク副コンポーネント搬送波（ＵＬ  ＳＣＣ）という。
【００６６】
プライマリセルとセコンダリセルは、下記のような特徴を有する。
【００６７】
第一、プライマリセルは、ＰＵＣＣＨの送信のために使われる。
【００６８】
第二、プライマリセルは、常に活性化されているが、セコンダリセルは、特定条件によって活性化／非活性化される搬送波である。
【００６９】
第三、プライマリセルが無線リンク失敗（Ｒａｄｉｏ  Ｌｉｎｋ  Ｆａｉｌｕｒｅ；以下、ＲＬＦという）を経験する時にはＲＲＣ再連結がトリガリング（ｔｒｉｇｇｅｒｉｎｇ）されるが、セコンダリセルがＲＬＦを経験する時にはＲＲＣ再連結がトリガリングされない。
【００７０】
第四、プライマリセルは、セキュリティキー（ｓｅｃｕｒｉｔｙ  ｋｅｙ）変更やＲＡＣＨ（Ｒａｎｄｏｍ  Ａｃｃｅｓｓ  ＣＨａｎｎｅｌ）手順と共にハンドオーバ手順によって変更されることができる。
【００７１】
第五、ＮＡＳ（ｎｏｎ−ａｃｃｅｓｓ  ｓｔｒａｔｕｍ）情報は、プライマリセルを介して受信する。
【００７２】
第六、常にプライマリセルは、ＤＬ  ＰＣＣとＵＬ  ＰＣＣが対（ｐａｉｒ）で構成される。
【００７３】
第七、各端末毎に異なるコンポーネント搬送波（ＣＣ）がプライマリセルに設定されることができる。
【００７４】
第八、プライマリセルの再設定（ｒｅｃｏｎｆｉｇｕｒａｔｉｏｎ）、追加（ａｄｄｉｎｇ）、及び除去（ｒｅｍｏｖａｌ）のような手順は、ＲＲＣ階層により実行されることができる。新規セコンダリセルの追加において、専用（ｄｅｄｉｃａｔｅｄ）セコンダリセルのシステム情報を送信するときにＲＲＣシグナリングが使われることができる。
【００７５】
ダウンリンクコンポーネント搬送波が一つのサービングセルを構成することもでき、ダウンリンクコンポーネント搬送波とアップリンクコンポーネント搬送波が連結設定されて一つのサービングセルを構成することができる。しかし、一つのアップリンクコンポーネント搬送波のみではサービングセルが構成されない。
【００７６】
コンポーネント搬送波の活性化／非活性化は、サービングセルの活性化／非活性化の概念と同じである。例えば、サービングセル１がＤＬ  ＣＣ１で構成されていると仮定する時、サービングセル１の活性化は、ＤＬ  ＣＣ１の活性化を意味する。もし、サービングセル２がＤＬ  ＣＣ２とＵＬ  ＣＣ２が連結設定されて構成されていると仮定する時、サービングセル２の活性化は、ＤＬ  ＣＣ２とＵＬ  ＣＣ２の活性化を意味する。このような意味で、各コンポーネント搬送波は、セル（ｃｅｌｌ）に対応されることができる。
【００７７】
ダウンリンクとアップリンクとの間に集約されるコンポーネント搬送波の数は、異なるように設定されることができる。ダウンリンクＣＣ数とアップリンクＣＣ数が同し場合を対称的（ｓｙｍｍｅｔｒｉｃ）集約といい、その数が異なる場合を非対称的（ａｓｙｍｍｅｔｒｉｃ）集約という。また、ＣＣの大きさ（即ち、帯域幅）は、互いに異なってもよい。例えば、７０ＭＨｚ帯域の構成のために、５個のＣＣが使われるとする時、５ＭＨｚ  ＣＣ（ｃａｒｒｉｅｒ＃０）＋２０ＭＨｚ  ＣＣ（ｃａｒｒｉｅｒ＃１）＋２０ＭＨｚ  ＣＣ（ｃａｒｒｉｅｒ＃２）＋２０ＭＨｚ  ＣＣ（ｃａｒｒｉｅｒ＃３）＋５ＭＨｚ  ＣＣ（ｃａｒｒｉｅｒ＃４）のように構成されることもできる。
【００７８】
前述したように、搬送波集約システムでは、単一搬送波システムと違って複数のコンポーネント搬送波（ｃｏｍｐｏｎｅｎｔ  ｃａｒｒｉｅｒ、ＣＣ）をサポートすることができる。即ち、一つの端末が複数のＤＬ  ＣＣを介して複数のＰＤＳＣＨを受信することができる。また、端末は、一つのＵＬ  ＣＣ、例えば、ＵＬ  ＰＣＣを介して前記複数のＰＤＳＣＨに対するＡＣＫ／ＮＡＣＫを送信することができる。即ち、従来の単一搬送波システムでは、一つのサブフレームで一つのＰＤＳＣＨのみを受信するため、最大２個のＨＡＲＱ  ＡＣＫ／ＮＡＣＫ（以下、便宜上、ＡＣＫ／ＮＡＣＫと略称する）情報を送信した。しかし、搬送波集約システムでは、複数のＰＤＳＣＨに対するＡＣＫ／ＮＡＣＫを一つのＵＬ  ＣＣを介して送信することができるため、これに対するＡＣＫ／ＮＡＣＫ送信方法が要求される。
【００７９】
以下、既存のＰＵＣＣＨフォーマット（ＰＵＣＣＨ  ｆｏｒｍａｔ）に対して説明する。
【００８０】
ＰＵＣＣＨは、フォーマット（ｆｏｒｍａｔ）によって多様な種類の制御情報を伝送する。ＰＵＣＣＨフォーマット１は、スケジューリング要求（ＳＲ；Ｓｃｈｅｄｕｌｉｎｇ  Ｒｅｑｕｅｓｔ）を伝送する。このとき、ＯＯＫ（Ｏｎ−Ｏｆｆ  Ｋｅｙｉｎｇ）方式が適用されることができる。ＰＵＣＣＨフォーマット１ａは、一つのコードワード（ｃｏｄｅｗｏｒｄ）に対してＢＰＳＫ（Ｂｉｔ  Ｐｈａｓｅ  Ｓｈｉｆｔ  Ｋｅｙｉｎｇ）方式に変調されたＡＣＫ／ＮＡＣＫ（Ａｃｋｎｏｗｌｅｄｇｅｍｅｎｔ／Ｎｏｎ−Ａｃｋｎｏｗｌｅｄｇｅｍｅｎｔ）を伝送する。ＰＵＣＣＨフォーマット１ｂは、２個のコードワードに対してＱＰＳＫ（Ｑｕａｄｒａｔｕｒｅ  Ｐｈａｓｅ  Ｓｈｉｆｔ  Ｋｅｙｉｎｇ）方式に変調されたＡＣＫ／ＮＡＣＫを伝送する。ＰＵＣＣＨフォーマット２は、ＱＰＳＫ方式に変調されたＣＱＩ（Ｃｈａｎｎｅｌ  Ｑｕａｌｉｔｙ  Ｉｎｄｉｃａｔｏｒ）を伝送する。ＰＵＣＣＨフォーマット２ａと２ｂは、ＣＱＩとＡＣＫ／ＮＡＣＫを伝送する。
【００８１】
表１は、ＰＵＣＣＨフォーマットによる変調方式とサブフレーム当たりビットの個数を示す。
【００８２】
【表１】
0005820532.tif 000002
【００８３】
図６は、ノーマルＣＰで、一つのスロットに対するＰＵＣＣＨフォーマット２／２ａ／２ｂのチャネル構造を示す。前述したように、ＰＵＣＣＨフォーマット２／２ａ／２ｂは、ＣＱＩの送信に使われる。
【００８４】
図６を参照すると、ノーマルＣＰで、ＳＣ−ＦＤＭＡシンボル１及び５は、アップリンク参照信号であるＤＭ  ＲＳ（ｄｅｍｏｄｕｌａｔｉｏｎ  ｒｅｆｅｒｅｎｃｅ  ｓｙｍｂｏｌ）のために使われる。拡張ＣＰの場合には、ＳＣ−ＦＤＭＡシンボル３がＤＭ  ＲＳのために使われる。
【００８５】
１０個のＣＱＩ情報ビットが、例えば、１／２割合でチャネルコーディングされることで、２０個のコーディングされたビットになる。チャネルコーディングには、リードマラー（Ｒｅｅｄ−Ｍｕｌｌｅｒ：ＲＭ）コードが使われることができる。そして、スクランブリング（ＰＵＳＣＨデータが長さ３１のゴールドシーケンスでスクランブリングされることと同様に）された後、ＱＰＳＫコンスタレーションマッピング（ｃｏｎｓｔｅｌｌａｔｉｏｎ  ｍａｐｐｉｎｇ）されてＱＰＳＫ変調シンボルが生成される（スロット０でｄ０乃至ｄ４）。各ＱＰＳＫ変調シンボルは、長さ１２である基本ＲＳシーケンスの循環シフトに変調されてＯＦＤＭ変調された後、サブフレーム内の１０個のＳＣ−ＦＤＭＡシンボルの各々で送信される。均一に離隔された１２個の循環シフトは、１２個の互いに異なる端末が同じＰＵＣＣＨリソースブロックで直交に多重化されることができるようにする。ＳＣ−ＦＤＭＡシンボル１及び５に適用されるＤＭ  ＲＳシーケンスは、長さ１２である基本ＲＳシーケンスが使われることができる。
【００８６】
図７は、ノーマルＣＰで、一つのスロットに対するＰＵＣＣＨフォーマット１ａ／１ｂを示す。３番目乃至５番目のＳＣ−ＦＤＭＡシンボルでアップリンク参照信号が送信される。図７において、ｗ０、ｗ１、ｗ２、及びｗ３は、ＩＦＦＴ（Ｉｎｖｅｒｓｅ  Ｆａｓｔ  Ｆｏｕｒｉｅｒ  Ｔｒａｎｓｆｏｒｍ）変調以後に時間領域で変調され、又はＩＦＦＴ変調以前に周波数領域で変調されることができる。
【００８７】
ＬＴＥで、ＡＣＫ／ＮＡＣＫとＣＱＩは、同じサブフレームで同時に送信されることもあり、同時送信が許容されないこともある。ＡＣＫ／ＮＡＣＫとＣＱＩの同時送信が許容されない場合で、端末は、ＣＱＩフィードバックが設定されたサブフレームのＰＵＣＣＨでＡＣＫ／ＮＡＣＫを送信することが必要である。このような場合、ＣＱＩは、ドロップ（ｄｒｏｐ）され、ＡＣＫ／ＮＡＣＫのみがＰＵＣＣＨフォーマット１ａ／１ｂを介して送信される。
【００８８】
ＡＣＫ／ＮＡＣＫとＣＱＩの同じサブフレームでの同時送信は、端末特定的な上位階層（ＲＲＣ）シグナリングを介して可能である。同時送信が可能な場合、基地局スケジューラがＣＱＩとＡＣＫ／ＮＡＣＫの同時送信を許容したサブフレームで、ＣＱＩと１ビット又は２ビットＡＣＫ／ＮＡＣＫ情報が同じＰＵＣＣＨリソースブロックに多重化されることが必要である。このとき、低いＣＭ（ｃｕｂｉｃ  ｍｅｔｒｉｃ）を有する単一搬送波特性を維持することが必要である。単一搬送波特性を維持しながら、ＣＱＩとＡＣＫ／ＮＡＣＫを多重化する方法はノーマルＣＰと拡張ＣＰで互いに異なる。
【００８９】
まず、ノーマルＣＰで、ＰＵＣＣＨフォーマット２ａ／２ｂを介して１ビット又は２ビットＡＣＫ／ＮＡＣＫとＣＱＩを共に送信する場合、ＡＣＫ／ＮＡＣＫビットは、スクランブルされず、ＢＰＳＫ（１ビットの場合）／ＱＰＳＫ（２ビットの場合）変調されて一つのＡＣＫ／ＮＡＣＫ変調シンボル（ｄＨＡＲＱ）になる。ＡＣＫは、二進数‘１’にエンコーディングされ、ＮＡＣＫは、二進数‘０’にエンコーディングされる。一つのＡＣＫ／ＮＡＣＫ変調シンボル（ｄＨＡＲＱ）は、各スロットで２番目のＲＳシンボルを変調するときに使われる。即ち、ＡＣＫ／ＮＡＣＫは、ＲＳを利用してシグナリングされる。
【００９０】
図８は、ノーマルＣＰ、ＰＵＣＣＨフォーマット２ａ／２ｂで、ＡＣＫ／ＮＡＣＫのコンスタレーションマッピングの例を示す。
【００９１】
図８を参照すると、ＮＡＣＫ（２個のダウンリンクコードワード送信の場合には、ＮＡＣＫ，ＮＡＣＫ）は、＋１にマッピングされる。端末がＰＤＣＣＨでダウンリンクグラントの検出に失敗した場合を意味するＤＴＸ（ｄｉｓｃｏｎｔｉｎｕｏｕｓ  ｔｒａｎｓｍｉｓｓｉｏｎ）は、ＡＣＫ又はＮＡＣＫの両方ともを送信せず、このような場合、デフォルトＮＡＣＫになる。ＤＴＸは、基地局によりＮＡＣＫと解釈され、ダウンリンク再送信を引き起こす。
【００９２】
次に、スロット当たり一つのＲＳシンボルが使われる拡張ＣＰでは、１又は２ビットのＡＣＫ／ＮＡＣＫがＣＱＩとジョイントコーディング（ｊｏｉｎｔ  ｃｏｄｉｎｇ）される。
【００９３】
図９は、拡張ＣＰで、ＡＣＫ／ＮＡＣＫとＣＱＩのジョイントコーディングの例を示す。
【００９４】
図９を参照すると、ＲＭコードによりサポートされる情報ビットの最大ビット数は、１３である。この場合、ＣＱＩ情報ビット（Ｋｃｑｉ）は１１ビットであり、ＡＣＫ／ＮＡＣＫ情報ビット（ＫＡＣＫ／ＮＡＣＫ）は２ビットである。ＣＱＩ情報ビットとＡＣＫ／ＮＡＣＫ情報ビットは、連接されてビット列を生成した後、ＲＭコードによりチャネルコーディングされることができる。このような場合、ＣＱＩ情報ビットとＡＣＫ／ＮＡＣＫ情報ビットは、ジョイントコーディングされると表現する。即ち、ＣＱＩ情報ビットとＡＣＫ／ＮＡＣＫ情報ビットは、ＲＭコードによりジョイントコーディングされることによって２０ビットのコーディングされたビットになる。このような過程を介して生成された２０ビットコードワードは、図６で説明したチャネル構造（拡張ＣＰの場合、図６と違って、スロット当たり一つのＲＳシンボルが使われる）を有するＰＵＣＣＨフォーマット２で送信される。
【００９５】
ＬＴＥでは、ＰＵＣＣＨフォーマット１ａ／１ｂを介してＡＣＫ／ＮＡＣＫとＳＲが多重化されて同時送信されることができる。
【００９６】
図１０は、ＡＣＫ／ＮＡＣＫとＳＲが多重化される方法を示す。
【００９７】
図１０を参照すると、ＡＣＫ／ＮＡＣＫとＳＲが同じサブフレームで同時送信されると、端末は、割り当てられたＳＲリソースでＡＣＫ／ＮＡＣＫを送信し、このような場合、正（ｐｏｓｉｔｉｖｅ）のＳＲを意味する。また、端末は、割り当てられたＡＣＫ／ＮＡＣＫリソースでＡＣＫ／ＮＡＣＫを送信することができ、このような場合、負（ｎｅｇａｔｉｖｅ）のＳＲを意味する。即ち、基地局は、ＡＣＫ／ＮＡＣＫとＳＲが同時送信されるサブフレームでは、ＡＣＫ／ＮＡＣＫがいずれのリソースを介して送信されるかによって、ＡＣＫ／ＮＡＣＫだけでなく、ＳＲが正のＳＲであるか又は負のＳＲであるかを識別することができる。
【００９８】
図１１は、ＡＣＫ／ＮＡＣＫとＳＲが同時送信される場合、コンスタレーションマッピングを示す。
【００９９】
図１１を参照すると、ＤＴＸ／ＮＡＣＫと正のＳＲがコンスタレーションマップ（ｃｏｎｓｔｅｌｌａｔｉｏｎ  ｍａｐ）の＋１にマッピングされ、ＡＣＫは、−１にマッピングされる。
【０１００】
一方、ＬＴＥ  ＴＤＤシステムにおいて、端末は、複数のＰＤＳＣＨに対する複数のＡＣＫ／ＮＡＣＫを基地局にフィードバックすることができる。その理由は、端末は、複数のサブフレームで複数のＰＤＳＣＨを受信し、一つのサブフレームで前記複数のＰＤＳＣＨに対するＡＣＫ／ＮＡＣＫを送信することができるためである。このとき、２種類のＡＣＫ／ＮＡＣＫ送信方法がある。
【０１０１】
第一、ＡＣＫ／ＮＡＣＫバンドリングである。ＡＣＫ／ＮＡＣＫバンドリングは、複数のデータユニットに対するＡＣＫ／ＮＡＣＫビットを論理的ＡＮＤ演算を介して結合することである。例えば、端末が複数のデータユニット全体を成功的にデコーディングした場合には、一つのＡＣＫビットのみを送信する。一方、端末が複数のデータユニットのうちいずれか一つでもデコーディングや検出に失敗する場合、端末は、ＮＡＣＫビットを送信し、又は何も送信しない。
【０１０２】
第二、ＡＣＫ／ＮＡＣＫの多重化である。ＡＣＫ／ＮＡＣＫ多重化方法で、複数のデータユニットに対するＡＣＫ／ＮＡＣＫの内容又は意味は、実際ＡＣＫ／ＮＡＣＫ送信に使われるＰＵＣＣＨリソースとＱＰＳＫ変調シンボルのうち一つの組合せにより識別されることができる。
【０１０３】
例えば、最大２個のデータユニットが送信されることができ、一つのＰＵＣＣＨリソースが２ビットを伝送することができると仮定する。このとき、各データユニットに対するＨＡＲＱ動作は、一つのＡＣＫ／ＮＡＣＫビットにより管理されることができると仮定する。このような場合、ＡＣＫ／ＮＡＣＫは、データユニットを送信した送信ノード（例えば、基地局）で以下の表のように識別されることができる。
【０１０４】
【表２】
0005820532.tif 000003
【０１０５】
表２において、ＨＡＲＱ−ＡＣＫ（ｉ）は、データユニットｉに対するＡＣＫ／ＮＡＣＫ結果を指示する。前記例では、データユニット０、データユニット１の２個のデータユニットがある。表２において、ＤＴＸは、該当ＨＡＲＱ−ＡＣＫ（ｉ）に対するデータユニットの送信がなかったことを意味する。または、受信端（例えば、端末）でＨＡＲＱ−ＡＣＫ（ｉ）に対するデータユニットを検出することができなかったことを意味する。ｎ（１）ＰＵＣＣＨ，Ｘは、ＡＣＫ／ＮＡＣＫの実際送信に使われるＰＵＣＣＨリソースを示し、最大２個のＰＵＣＣＨリソースがある。即ち、ｎ（１）ＰＵＣＣＨ，０、ｎ（１）ＰＵＣＣＨ，１である。ｂ（０）、ｂ（１）は、選択されたＰＵＣＣＨリソースにより伝達される２ビットを示す。ＰＵＣＣＨリソースを介して送信される変調シンボルは、ｂ（０）、ｂ（１）によって決定される。
【０１０６】
例えば、受信端が２個のデータユニットを成功的に受信してデコーディングした場合、受信端は、ＰＵＣＣＨリソースｎ（１）ＰＵＣＣＨ，１を利用して２個のビット（ｂ（０），ｂ（１））を（１，１）に送信しなければならない。他の例として、受信端が２個のデータユニットを受信し、１番目のデータユニットのデコーディングに失敗し、２番目のデータユニットのデコーディングは成功したと仮定する。このような場合、受信端は、（０，０）をｎ（１）ＰＵＣＣＨ，１を利用して送信しなければならない。
【０１０７】
このようにＡＣＫ／ＮＡＣＫの内容（又は、意味）を、ＰＵＣＣＨリソースと該当ＰＵＣＣＨリソースで送信される実際ビットの内容の組合せとリンクする方法によって単一ＰＵＣＣＨリソースを利用して複数のデータユニットに対するＡＣＫ／ＮＡＣＫ送信が可能である。
【０１０８】
ＡＣＫ／ＮＡＣＫ多重化方法では、もし、全てのデータユニットに対して少なくとも一つのＡＣＫが存在する場合、基本的にＮＡＣＫとＤＴＸは、ＮＡＣＫ／ＤＴＸのようにカップルで表示されている。これはＰＵＣＣＨリソースとＱＰＳＫシンボルの組合せのみではＮＡＣＫとＤＴＸを区別して全てのＡＣＫ／ＮＡＣＫ組合せをカバーするには足りないためである。
【０１０９】
前述したＡＣＫ／ＮＡＣＫバンドリングやＡＣＫ／ＮＡＣＫ多重化方法では、端末が送信するＡＣＫ／ＮＡＣＫの対象となるＰＤＳＣＨの総個数が重要である。端末が複数のＰＤＳＣＨをスケジューリングする複数のＰＤＣＣＨのうち一部ＰＤＣＣＨを受信することができない場合、ＡＣＫ／ＮＡＣＫの対象になる総ＰＤＳＣＨの個数に対してエラーが発生するため、誤ったＡＣＫ／ＮＡＣＫを送信することができる。このようなエラーを解決するために、ＴＤＤシステムでは、ＤＡＩ（ｄｏｗｎｌｉｎｋ  ａｓｓｉｇｎｍｅｎｔ  ｉｎｄｅｘ）をＰＤＣＣＨに含んで送信する。ＤＡＩにはＰＤＳＣＨをスケジューリングするＰＤＣＣＨの数をカウンティングしてカウンティング値を知らせる。
【０１１０】
以下、ＰＵＣＣＨフォーマット２のためのアップリンクチャネルコーディング方法に対して説明する。
【０１１１】
以下の表３は、ＰＵＣＣＨフォーマット２のチャネルコーディングに使われる（２０，Ａ）ＲＭコードの一例である。ここで、Ａは、ＣＱＩ情報ビットとＡＣＫ／ＮＡＣＫ情報ビットが連接された（ｃｏｎｃａｔｅｎａｔｅｄ）ビット列のビット数（即ち、Ｋｃｑｉ＋ＫＡＣＫ／ＮＡＣＫ）である。前記ビット列をａ０，ａ１，ａ２，．．．，ａＡ−１とすると、前記ビット列（ｂｉｔ  ｓｔｒｅａｍ）が（２０，Ａ）のＲＭコードを利用したチャネルコーディングブロックの入力として使われることができる。
【０１１２】
【表３】
0005820532.tif 000004
【０１１３】
ＲＭコードによりチャネルコーディングされたビット列ｂ０，ｂ１，ｂ２，．．．，ｂＢ−１は、以下の数式１のように生成されることができる。
【０１１４】
【数１】
0005820532.tif 000005
【０１１５】
前記数式１において、ｉ＝０，１，２，．．．，Ｂ−１であり、Ｂ＝２０である。
【０１１６】
チャネルコーディングされたビットは、コード−時間−周波数リソースにマッピングされる。
【０１１７】
図１２は、チャネルコーディングされたビットがコード−時間−周波数リソースにマッピングされる例を示す。
【０１１８】
図１２を参照すると、チャネルコーディングされた２０ビットのうち、最初の１０ビットと最後の１０ビットは、互いに異なるコード−時間−周波数リソースにマッピングされ、特に、最初の１０ビットと最後の１０ビットは、周波数ダイバーシティ（ｄｉｖｅｒｓｉｔｙ）のために周波数領域で大きく分離されて送信される。
【０１１９】
以下、ＬＴＥ−Ａでのアップリンクチャネルコーディング方法の一例を説明する。
【０１２０】
前述したように、ＬＴＥでは、ＵＣＩがＰＵＣＣＨフォーマット２で送信される場合、最大１３ビットのＣＳＩを表３の（２０，Ａ）ＲＭコードを介してＲＭコーディングする。一方、ＵＣＩがＰＵＳＣＨに送信される場合には最大１１ビットのＣＱＩを以下の表４の（３２，Ａ）ＲＭコードを介してＲＭコーディングし、ＰＵＳＣＨで送信されるコード率を合わせるために切断（ｔｒｕｎｃａｔｉｏｎ）又は循環反復（ｃｉｒｃｕｌａｒ  ｒｅｐｅｔｉｔｉｏｎ）を実行する。
【０１２１】
【表４】
0005820532.tif 000006
【０１２２】
一方、ＬＴＥ−Ａでは、最大２１ビット（これは情報ビットであって、チャネルコーディング前のビット数）のＵＣＩ（ＡＣＫ／ＮＡＣＫとＳＲ）を送信するためにＰＵＣＣＨフォーマット３が導入された。
【０１２３】
ＰＵＣＣＨフォーマット３は、ブロック拡散ベースの送信を実行する。即ち、ブロック拡散コードを利用してマルチビットＡＣＫ／ＮＡＣＫを変調した変調シンボルシーケンスを時間領域で拡散した後に送信する。
【０１２４】
図１３は、ＰＵＣＣＨフォーマット３のチャネル構造を例示する。
【０１２５】
図１３を参照すると、変調シンボルシーケンス｛ｄ１，ｄ２，．．．，｝は、ブロック拡散コードが適用されて時間領域で拡散される。ブロック拡散コードは、直交カバーコード（ｏｒｔｈｏｇｏｎａｌ  ｃｏｖｅｒ  ｃｏｄｅ：ＯＣＣ）である。ここで、変調シンボルシーケンスは、マルチビットであるＡＣＫ／ＮＡＣＫ情報ビットがチャネルコーディングされて（ＲＭコード、ＴＢＣＣ、パンクチャリングされたＲＭコード等を利用した）ＡＣＫ／ＮＡＣＫ  ｃｏｄｅｄビットが生成され、前記ＡＣＫ／ＮＡＣＫ  ｃｏｄｅｄビットが変調（例えば、ＱＰＳＫ）された変調シンボルのシーケンスである。変調シンボルのシーケンスは、ＦＦＴ（ｆａｓｔ  Ｆｏｕｒｉｅｒ  ｔｒａｎｓｆｏｒｍ）、ＩＦＦＴ（ｉｎｖｅｒｓｅ  ｆａｓｔ  Ｆｏｕｒｉｅｒ  ｔｒａｎｓｆｏｒｍ）を経てスロットのデータシンボルにマッピングされた後に送信される。図１３では、一つのスロットに２個のＲＳシンボルが存在する場合を例示したが、３個のＲＳシンボルが存在でき、このような場合、長さ４のブロック拡散コードが使われることができる。
【０１２６】
このようなＰＵＣＣＨフォーマット３は、ノーマルＣＰで、４８ビットのチャネルコーディングされたビットを送信することができる。ＵＣＩビット（情報ビット）が１１ビット以下の場合、表４の（３２，Ａ）ＲＭコーディングを使用し、ＰＵＣＣＨフォーマット３のコーディングされたビット数に合わせるために循環反復を使用する。表４に示すように、（３２，Ａ）ＲＭコードは、ベイシスシーケンスが１１個のみであるため、ＵＣＩビットが１１ビットより大きい場合、２個の（３２，Ａ）ＲＭコードを利用した二重ＲＭコーディング（ｄｕａｌ  ＲＭ  ｃｏｄｉｎｇ）を実行する。
【０１２７】
図１４は、二重ＲＭコーディング過程を例示する。
【０１２８】
図１４を参照すると、ＵＣＩビット列（情報ビット）が１１ビットを超過する場合、分割（ｓｅｇｍｅｎｔａｔｉｏｎ）を介して分割されたビット列（これをセグメントという）を生成する。このとき、セグメント１、セグメント２は、各々、１１ビット以下になる。セグメント１、２は、各々、（３２，Ａ）ＲＭコーディングを経てインターリービング又は連接される。その後、ＰＵＣＣＨフォーマット３のコーディングされたビット数に合わせるために切断又は循環反復された後に送信される。
【０１２９】
以下、本発明に対して説明する。
【０１３０】
ＬＴＥでは、特定サブフレームで周期的ＣＱＩ送信とＡＣＫ／ＮＡＣＫ送信が衝突する場合、周期的ＣＱＩとＡＣＫ／ＮＡＣＫの同時送信が可能になるように設定されることができる。前記特定サブフレームがＰＵＳＣＨ送信のないサブフレームの場合、ＡＣＫ／ＮＡＣＫは、ＣＱＩが送信されるＰＵＣＣＨフォーマット２の２番目の参照信号シンボルを位相変調する方式に多重化されて送信される。
【０１３１】
しかし、特定サブフレームでＰＵＳＣＨ送信がなく、周期的ＣＱＩと複数のＡＣＫ／ＮＡＣＫ（例えば、複数のＰＤＳＣＨに対する複数のＡＣＫ／ＮＡＣＫ）送信が要求される場合、このような従来の方式は適切でない。ＡＣＫ／ＮＡＣＫ情報量が大きくて従来の方式によっては信頼性を担保しにくいためである。したがって、ＰＵＳＣＨ送信のないサブフレームでＰＵＣＣＨを介して周期的ＣＳＩとＡＣＫ／ＮＡＣＫを多重化して送信する新たな方法が要求される。
【０１３２】
本発明では周期的ＣＳＩとＡＣＫ／ＮＡＣＫが多重化されて同じアップリンク制御チャネルに同時送信が設定された場合に対する多重化方法とＵＣＩ構成によるアップリンク制御チャネル選択方法を提案する。
【０１３３】
以下、ＣＳＩは、非周期的ＣＳＩを除いた周期的ＣＳＩに限定されることができる。以下、説明の便宜上、チャネルコーディングにＲＭコーディングを使用することを例示するが、これに制限されるものではない。また、複数のＣＳＩが同時送信されるように設定された場合のＣＳＩ送信を含むことができる。また、複数のＲＭコーディングが使われる場合、２個のＲＭコーディングブロックが使われる二重ＲＭコーディングを例示するが、２以上のＲＭコーディングブロックが使われることに制限するものではない。チャネルコーディングされた制御情報が送信されるＵＬチャネルとしてＰＵＣＣＨフォーマット３を例示するが、これに制限されるものではなく、ＰＵＣＣＨフォーマット３を変形する場合にも適用されることができる。例えば、ＰＵＣＣＨフォーマット３で拡散因子を減らした変形されたＰＵＣＣＨフォーマット３にも適用されることができる。また、場合によって、ＰＵＳＣＨを介してＵＣＩを送信するときに本発明が適用されることもできる。
【０１３４】
Ｉ．ＵＣＩチャネルコーディング−ＵＣＩジョイントコーディングの際、ＵＣＩ種類別優先順位による分散配置
【０１３５】
ＲＭコーディングは、その特性上、ベイシスシーケンスインデックス（ｂａｓｉｓ  ｓｅｑｕｅｎｃｅ  ｉｎｄｅｘ：ＢＳＩ）が低いベイシスシーケンスを介してコーディングされることがデコーディング性能に良い。ＢＳＩが最も低いベイシスシーケンスは、表４において、Ｍｉ，０であり、最も高いベイシスシーケンスは、Ｍｉ，１０である。したがって、ＵＣＩ種類によって、その重要度が異なる場合、重要度の高いＵＣＩがＢＳＩの低いベイシスシーケンスを介してコーディングされるように配置することが好ましい。即ち、ＲＭコーディングの入力ビット列順序を重要度の高いＵＣＩの順に連接して多重化することが好ましい。
【０１３６】
例えば、ＵＣＩのうち、ＡＣＫ／ＮＡＣＫ、ＳＲ、ＣＳＩの順に重要度が高いとする時、ＲＭコーディングの入力ビットは、ＡＣＫ／ＮＡＣＫ、ＳＲ、ＣＳＩの順に連接して配置する。ＳＲ送信が必要ない場合にはＡＣＫ／ＮＡＣＫ、ＣＳＩの順序に配置する。このとき、追加的にＣＳＩを構成するＲＩ、ＰＴＩ、ＣＱＩ等もその重要度が分けられる。この場合、ＣＳＩもその重要度の順序通りにＲＭコーディングの入力ビットを構成することができる。
【０１３７】
ＵＣＩ種類別重要度は、ＣＳＩ、ＡＣＫ／ＮＡＣＫ、ＳＲの順になることもでき、ＲＩ、ＡＣＫ／ＮＡＣＫ、ＳＲ、ＰＴＩ、ＣＱＩの順又はＲＩ、ＰＴＩ、ＡＣＫ／ＮＡＣＫ、ＳＲ、ＣＱＩの順になることもできる。ＵＣＩ種類別重要度は、システム処理量に及ぼす影響、ＵＬ制御チャネルリソース活用の効率性等、多様な基準により決定されることができる。
【０１３８】
ＲＭコーディングの入力ビット列を構成するＵＣＩのペイロード和が１１ビットを超過する場合（即ち、ＵＣＩ情報ビットが１１ビットを超過する場合）、単一ＲＭは、ベイシスシーケンスが足りないため、二重ＲＭを使用する。この場合、前述したＵＣＩ種類別重要度によって連接したＵＣＩビット列をどのように分割するかが問題になる。
【０１３９】
図１５は、ＵＣＩビット列の分割方法を例示する。
【０１４０】
図１５（ａ）を参照すると、最も左側ビットがＭＳＢ（ｍｏｓｔ  ｓｉｇｎｉｆｉｃａｎｔ  ｂｉｔ）とする時、左側からＡＣＫ／ＮＡＣＫとＣＳＩの順序に連接されたＵＣＩビット列を同じビット数に単純分割することを例示する。単純分割を介して生成されたセグメント１、セグメント２は、各々、（３２，Ａ）ＲＭコードでＲＭコーディングされる。このように、ＵＣＩビット列を単純分割すると、重要度の高いＵＣＩが重要度の低いＵＣＩより高いＢＳＩを有するＲＭコードのベイシスシーケンスとコーディングされるように配置される場合が発生できる。例えば、ＡＣＫ／ＮＡＣＫがＣＳＩより重要度が高かいにもかかわらず、ＡＣＫ／ＮＡＣＫはセグメント１に、ＣＳＩはセグメント２に単純分割されると、セグメント１の右側ビットは、セグメント２の左側ビットに比べて高いＢＳＩを有するＲＭコードのベイシスシーケンスを介してコーディングされる結果が発生する。
【０１４１】
これを防止するために、本発明では図１５（ｂ）のようにＵＣＩビット列で重要度が高いＵＣＩ、例えば、ＡＣＫ／ＮＡＣＫビットをセグメント１、セグメント２の各々の左側（ＭＳＢ側）に分散配置し、重要度が低いＵＣＩ、例えば、ＣＳＩビットを各セグメントのＡＣＫ／ＮＡＣＫビットの次に分散配置（これを分散分割、又は分散マッピングという）することを提案する。分散分割を介して生成されたセグメント１、セグメント２は、各々、（３２，Ａ）ＲＭコードでＲＭコーディングされる。このような分散分割方法を利用すると、各セグメントでＡＣＫ／ＮＡＣＫビットがより低いＢＳＩを有するＲＭベイシスシーケンスとコーディングされる。したがって、受信側のデコーディング性能を高めることができる。分散分割は、分割以前にインターリーバを導入して具現することもできる。前述した概念をもう少し詳細に説明する。
【０１４２】
図１６は、本発明の一実施例による二重ＲＭを利用したチャネルコーディング過程を示す。
【０１４３】
ＰＵＣＣＨフォーマット３が上位階層により設定され、ＡＣＫ／ＮＡＣＫフィードバックのために使われる場合、フィードバックされるＡＣＫ／ＮＡＣＫは、サービングセルの各々のＡＣＫ／ＮＡＣＫビットの連接（ｃｏｎｃａｔｅｎａｔｉｏｎ）により構成される。単一コードワード送信モードに設定されたセルの一つのダウンリンクサブフレームに対しては１ビットのＡＣＫ／ＮＡＣＫ情報ａｋが使われる。異なる送信モード、即ち、多重コードワード送信モードに設定されたセルの一つのダウンリンクサブフレームに対しては２ビットのＡＣＫ／ＮＡＣＫ情報ａｋ、ａｋ＋１が使われ、ａｋはコードワード０に対応され、ａｋ＋１はコードワード１に対応される。ただし、空間バンドリングが適用される場合、１ビットのＡＣＫ／ＮＡＣＫ情報が使われることができる。
【０１４４】
ＰＵＣＣＨフォーマット３がＡＣＫ／ＮＡＣＫフィードバックの送信に使われる場合、ＮＰＵＣＣＨｆｏｒｍａｔ３Ａ／Ｎは、ＡＣＫ／ＮＡＣＫ（ＳＲを含むことができる）及び／又は周期的ＣＳＩのビット数を示す。図１６において、ＵＣＩビット列は、ＮＰＵＣＣＨｆｏｒｍａｔ３Ａ／Ｎ個のビットで構成される。ＮＰＵＣＣＨｆｏｒｍａｔ３Ａ／Ｎ個のビットで構成されたＵＣＩビット列は、
【化１】
0005820532.tif 000007
のように整列される。
【化２】
0005820532.tif 000008
には、連接されたＡＣＫ／ＮＡＣＫビット、ＳＲビット、ＣＳＩビットが存在できる。連接されたＡＣＫ／ＮＡＣＫビットは、下記のように得られる。
【０１４５】
ＦＤＤの場合、ビットシーケンス
【化３】
0005820532.tif 000009
は、以下の表のような過程を介した各セルに対するＡＣＫ／ＮＡＣＫビットの連接の結果である。以下の表において、ＡＣＫ／ＮＡＣＫをＨＡＲＱ−ＡＣＫと表示する。
【０１４６】
【表５】
0005820532.tif 000010
【０１４７】
ＡＣＫ／ＮＡＣＫビットは、プライマリセル、即ち、ｃ＝０のセルに対するＡＣＫ／ＮＡＣＫ、その次にセコンダリセルに対するＡＣＫ／ＮＡＣＫの順序に連接されることができる。
【０１４８】
ＴＤＤの場合、ビットシーケンス
【化４】
0005820532.tif 000011
は、各セル及び各サブフレームに対して以下の表のように得られることができる。以下の表においてＮＤＬｃｅｌｌｓは、端末に上位階層により設定されたセルの個数を示し、ＢＤＬｃは、端末がセルｃでＡＣＫ／ＮＡＣＫフィードバックをしなければならないＤＬサブフレームの個数を示す。端末が伝達しなければならないＡＣＫ／ＮＡＣＫビットの個数は、以下の表のように計算される。
【０１４９】
【表６】
0005820532.tif 000012
【０１５０】
もし、ｋ≦２０の場合、ＨＡＲＱ−ＡＣＫビットの多重化は、以下の表のように実行される。
【０１５１】
【表７】
0005820532.tif 000013
【０１５２】
もし、ｋ＞２０の場合、空間バンドリング（ｓｐａｔｉａｌ  ｂｕｎｄｌｉｎｇ）が全てのセルの全てのサブフレームに適用される。そして、ＨＡＲＱ−ＡＣＫビットの多重化は、以下の表のように実行される。
【０１５３】
【表８】
0005820532.tif 000014
【０１５４】
ＡＣＫ／ＮＡＣＫフィードバックのためにＰＵＣＣＨフォーマット３が使われ、ＡＣＫ／ＮＡＣＫフィードバックを実行するサブフレームでＳＲ送信も設定されると、ＳＲのための１ビット（１の場合には正のＳＲ、０の場合には負のＳＲ）が連接されたＡＣＫ／ＮＡＣＫビットの最後に追加的に連接される。
【０１５５】
ＡＣＫ／ＮＡＣＫフィードバックのためにＰＵＣＣＨフォーマット３が使われ、ＡＣＫ／ＮＡＣＫフィードバックを実行するサブフレームで周期的ＣＳＩ送信も上位階層により設定されると、周期的ＣＳＩビットは、連接されたＡＣＫ／ＮＡＣＫビットの最後に（もし、ＳＲビットが追加された場合、ＳＲビットの後に）追加的に連接される。ＳＲ及び周期的ＣＳＩが連接されたＡＣＫ／ＮＡＣＫビットの最後に連接される場合、前述した過程で、ＮＰＵＣＣＨｆｏｒｍａｔ３Ａ／Ｎは、連接されたＡＣＫ／ＮＡＣＫビット数、ＳＲビット数、及び周期的ＣＳＩビット数の和を指示する値である。
【０１５６】
ＮＰＵＣＣＨｆｏｒｍａｔ３Ａ／Ｎが１１ビット以下の場合、ビットシーケンス
【化５】
0005820532.tif 000015
に設定して得られる。
【０１５７】
ＮＰＵＣＣＨｆｏｒｍａｔ３Ａ／Ｎが１１ビット以下の場合、ビットシーケンス
【化６】
0005820532.tif 000016
は、以下の数式のようにエンコーディングされる。
【０１５８】
【数２】
0005820532.tif 000017
【０１５９】
ここで、ｉは、０，１，２，．．．，３１であり、ベイシスシーケンスＭｉ，ｎは、表４により定義される。
【０１６０】
出力されたビットシーケンス
【化７】
0005820532.tif 000018
は、シーケンス
【化８】
0005820532.tif 000019
の循環反復（ｃｉｒｃｕｌａｒ  ｒｅｐｅｔｉｔｉｏｎ）により以下の数式のように得られる。
【０１６１】
【数３】
0005820532.tif 000020
【０１６２】
ここで、ｉ＝０，１，２，．．．，Ｂ−１であり、Ｂ＝４ＮＲＢｓｃである。ＮＲＢｓｃは、副搬送波個数で表現された周波数領域でのリソースブロック大きさを示す。
【０１６３】
ＮＰＵＣＣＨｆｏｒｍａｔ３Ａ／Ｎが１１ビットより大きく、２２ビット以下の場合、ビットシーケンス
【化９】
0005820532.tif 000021
は、以下の数式のように設定して得られる。
【０１６４】
【数４】
0005820532.tif 000022
【０１６５】
即ち、前記数式４は、図１６において、ＵＣＩビット列がインターリービングされる過程に該当する。数式４によると、ＮＰＵＣＣＨｆｏｒｍａｔ３Ａ／Ｎ個のビットで構成されたＵＣＩビット列で前部に配置された連接されたＡＣＫ／ＮＡＣＫビットが分散配置される。ビットシーケンス
【化１０】
0005820532.tif 000023
をセグメント１、
【化１１】
0005820532.tif 000024
をセグメント２とすると、ＵＣＩビット列を数式４によりインターリービングしたビット列（即ち、
【化１２】
0005820532.tif 000025
は、セグメント１、セグメント２の順序に連接されたビット列になり、セグメント１、２の各々のＭＳＢ側にはＡＣＫ／ＮＡＣＫが配置され、ＬＢＳ側には周期的ＣＳＩが配置される。より具体的に、数式４によると、ＵＣＩビット列でビットインデックス（ｉ）が偶数であるビットは、第１のセグメントに順次に配置され、ＵＣＩビット列でビットインデックスが奇数であるビットは、第２のセグメントに順次に配置される。このように、インターリービングされたビット列は、１１ビット超過２２ビット以下であるため、二重ＲＭを実行するためにセグメント１、セグメント２に分割され、以下の数式のように二重ＲＭコーディングされる。
【０１６６】
【数５】
0005820532.tif 000026
【０１６７】
ここで、ｉ＝０，１，２，．．．，２３であり、ベイシスシーケンスＭｉ，ｎは、表４により定義される。
【０１６８】
前記数式５に示すように、本発明によると、セグメント１、２のＡＣＫ／ＮＡＣＫビットがより低いＢＳＩを有するＲＭコードのベイシスシーケンスとコーディングされるようになり、周期的ＣＳＩは、相対的に高いＢＳＩを有するＲＭコードのベイシスシーケンスとコーディングされるようになる。したがって、多重ＡＣＫ／ＮＡＣＫと周期的ＣＳＩが共に送信される場合にも、重要度が高いＡＣＫ／ＮＡＣＫのデコーディング性能を保障することができる。
【０１６９】
チャネルコーディングを経て最終的に出力されるビットシーケンス
【化１３】
0005820532.tif 000027
は、ビットシーケンス
【化１４】
0005820532.tif 000028
を以下の表のように２ビットずつ交差連接して得られる。即ち、チャネルコーディングされたＵＣＩをインターリービングし、そのインターリービングは、チャネルコーディングされた第１のセグメントのビット及び第２のセグメントのビットの各々から得られた２ビットずつ、以下の表９のように交互に連接されると表現することができる。ここで、Ｂ＝４ＮＲＢｓｃである。
【０１７０】
【表９】
0005820532.tif 000029
【０１７１】
図１７は、図１６のインターリーバを詳細に示す。
【０１７２】
Ｂ個のビット列に対して、インターリーバは、列を優先的に書き込み（即ち、列インデックス増加後、次行インデックスに移動する方式）、行を優先的に読み出す（即ち、行インデックス増加後、次列インデックスに移動する方式）。インターリーバの列個数をＣとする時、二重ＲＭの場合、Ｃ＝２になる。もし、２個以上のＲＭコーディングブロックが使われる場合、Ｃは、ＲＭコーディングブロック個数になる。
【０１７３】
図１７に示すように、Ｂ（＝ＮＰＵＣＣＨｆｏｒｍａｔ３Ａ／Ｎ）個のビットで構成されたＵＣＩビット列はインターリービングを経て、偶数ビットインデックスを有するビットはＭＳＢ側に整列され、奇数ビットインデックスを有するビットはＬＳＭ側に整列される。インターリービングされたビット列
【化１５】
0005820532.tif 000030
は、ＵＣＩビット列で、偶数ビットインデックスを有するビットのみで構成されたセグメントと、奇数ビットインデックスを有するビットのみで構成されたセグメントと、に分割されることができる。または、インターリービングと分割が同時に実行されることもできる。
【０１７４】
図１８は、図１６及び図１７で説明した方法を適用するフローチャートである。
【０１７５】
図１８を参照すると、端末は、第１のＵＣＩと第２のＵＣＩの順序に連接されたビット列を生成する（Ｓ１０）。端末は、連接されたビット列のビット数が特定範囲を有する場合、連接されたビット列を奇数番目のビット（連接されたビット列でＭＳＢのビットインデックスが０であり、順次に増加する場合、奇数番目のビットは、ビットインデックスが偶数であるビット）で構成された第１のセグメントと、偶数番目のビット（連接されたビット列でＭＳＢのビットインデックスが０であり、順次に増加する場合、偶数番目のビットは、ビットインデックスが奇数であるビット）で構成された第２のセグメントの順序にインターリービングした後、分割し（Ｓ２０）、第１のセグメント及び第２のセグメントの各々をＲＭコーディングする（Ｓ３０）。このような方法は、ＡＣＫ／ＮＡＣＫフィードバックのためにＰＵＣＣＨフォーマット３が使われ、ＡＣＫ／ＮＡＣＫフィードバック（ＳＲも含むことができる）を実行するサブフレームで周期的ＣＳＩ送信も予定された場合、ＡＣＫ／ＮＡＣＫと周期的ＣＳＩの多重化及びチャネルコーディングに適用されることができる。これによって、図１６のように、ＡＣＫ／ＮＡＣＫとＣＳＩが両側のＲＭコーディングブロックに均等に分散され、各々のＲＭコーディングでＡＣＫ／ＮＡＣＫが低いＢＳＩを有するＲＭコードのベイシスシーケンスでコーディングされ、ＣＳＩは、高いＢＳＩを有するＲＭコードのベイシスシーケンスでコーディングされるようにマッピングされる。
【０１７６】
一方、情報別要求されるエラー率を満たすために、ＡＣＫ／ＮＡＣＫの場合、追加的なチャネルコーディングが実行されることができる。即ち、ＡＣＫ／ＮＡＣＫに、１次チャネルコーディングが実行された後、他のＵＣＩと共に２次チャネルコーディングが実行されることができる。例えば、各ＣＣ当たり１ビット指示子の場合、反復コーディングをし、ＣＣ当たり２ビットの指示子の場合、シンプレックスコーディングをした後、他のＵＣＩと共にジョイントコーディングされることができる。
【０１７７】
ＩＩ．ＵＣＩジョイントコーディングの際、ＡＣＫ／ＮＡＣＫ送信リソース確保方法
【０１７８】
周期的ＣＳＩの場合、基地局と端末との間に上位階層信号により設定された周期によってリポートされる。したがって、ＣＳＩ存否に対して基地局と端末との間に曖昧性（ａｍｂｉｇｕｉｔｙ）がない。一方、ＡＣＫ／ＮＡＣＫの場合にはＰＤＳＣＨをスケジューリングするスケジューリング情報を端末が受信できない可能性がある。この場合、ＡＣＫ／ＮＡＣＫが送信されるＵＬサブフレームで、基地局は、ＰＤＳＣＨに対するＡＣＫ／ＮＡＣＫを期待するが、端末は、スケジューリング情報自体を受信することができないため、ＡＣＫ／ＮＡＣＫを全く送信しないエラーが発生できる。ＡＣＫ／ＮＡＣＫとＣＳＩを多重化して送信する時、ＣＳＩのみを送信する場合と同じフォーマット（例えば、ＰＵＣＣＨフォーマット３）、同じリソースを使用して送信すると、前記エラー状況で、基地局は、ＵＣＩがＡＣＫ／ＮＡＣＫ＋ＣＳＩであるか、又はＣＳＩのみを含んでいるかに対して曖昧性が発生できる。
【０１７９】
即ち、存否に対して曖昧性が発生しないＵＣＩ情報の場合には、存否によって該当ＵＣＩ情報のためのビットフィールドの有無を決定することができる。しかし、存否自体に曖昧性があるＵＣＩ情報の場合、前記ＵＣＩ情報の存否に関係なしで該当ＵＣＩ情報のためのビットフィールドを確保することがエラーを減らす一つの方法になる。
【０１８０】
例えば、端末が周期的ＣＳＩを送信しないＵＬサブフレームで、ＡＣＫ／ＮＡＣＫは、端末に割り当てられたＰＵＣＣＨフォーマット３内の全てのリソースを使用して送信してもエラーが発生しない。周期的ＣＳＩの存否に対して基地局と端末との間に曖昧性がないためである。一方、ＡＣＫ／ＮＡＣＫ送信がないＵＬサブフレームでＣＳＩを送信する場合には、送信するＡＣＫ／ＮＡＣＫがないとしても、該当設定で発生可能な最大ＡＣＫ／ＮＡＣＫ情報がマッピングされるリソースを除いた残りのリソースにＣＳＩをマッピングする。
【０１８１】
図１９は、ＡＣＫ／ＮＡＣＫとＣＳＩを多重化して送信する時、リソース配置の例を示す。
【０１８２】
図１９（ａ）を参照すると、ＡＣＫ／ＮＡＣＫとＣＳＩが存在して多重化して送信する時、ＡＣＫ／ＮＡＣＫ、ＣＳＩの順序に連接され、ＡＣＫ／ＮＡＣＫが低いＢＳＩを有するＲＭベイシスシーケンスによりコーディングされ、ＣＳＩは、ＢＳＩが高いＲＭベイシスシーケンスによりコーディングされる。ＡＣＫ／ＮＡＣＫがなく、ＣＳＩのみ存在する場合には、ＡＣＫ／ＮＡＣＫのビットフィールドを空きにしておき、ＣＳＩビットを配置する。したがって、リソース効率が落ち、ＣＳＩが低いＢＳＩを有するＲＭベイシスシーケンスによりコーディングされないため、デコーディング性能が落ちる問題が発生できる。また、ＡＣＫ／ＮＡＣＫのみ存在する場合、ＡＣＫ／ＮＡＣＫビットフィールド又は全体ビットフィールドにＡＣＫ／ＮＡＣＫを配置する。
【０１８３】
前記問題を解決するための一つ方法として、図１９（ｂ）のように、存否に曖昧性が存在しないＵＣＩ、例えば、ＣＳＩを前に配置し、曖昧性が存在するＵＣＩ、例えば、ＡＣＫ／ＮＡＣＫを後に配置することができる。この場合、ＣＳＩのみ存在する時、ＣＳＩは、ＢＳＩが低いＲＭベイシスシーケンスによりコーディングされてデコーディング性能が良くなる効果がある。
【０１８４】
ＳＲの場合、ＣＳＩと同様に、ＳＲ送信可能サブフレームが設定されてＳＲビットの存否に曖昧性がない。したがって、前述した規則に従うことができる。例えば、ＳＲとＡＣＫ／ＮＡＣＫの同時送信の際、ＳＲを先に配置し、ＡＣＫ／ＮＡＣＫを以後に配置する。ＳＲとＣＳＩの同時送信時には両方とも曖昧性がないため、ＳＲ、ＣＳＩの順序又はＣＳＩ、ＳＲの順序のうちいずれを使用しても関係ない。ＳＲ、ＣＳＩ、ＡＣＫ／ＮＡＣＫの同時送信時にはＣＳＩ、ＳＲ、ＡＣＫ／ＮＡＣＫの順序又はＳＲ、ＣＳＩ、ＡＣＫ／ＮＡＣＫの順序に配置する。
【０１８５】
一方、既存システムとの後方互換性のために、ＳＲは、曖昧性がないＵＣＩであるにもかかわらず、例外的に、ＡＣＫ／ＮＡＣＫの後に配置できる。したがって、ＳＲ、ＡＣＫ／ＮＡＣＫの同時送信の際、ＡＣＫ／ＮＡＣＫ、ＳＲの順序に配置できる。ＳＲ、ＣＳＩの同時送信時には、ＣＳＩ、ＳＲの順序に配置できる。ＳＲ、ＣＳＩ、ＡＣＫ／ＮＡＣＫの同時送信時には、ＣＳＩ、ＡＣＫ／ＮＡＣＫ、ＳＲの順序に配置できる。
【０１８６】
ＩＩＩ．ＵＣＩ送信組合せによる送信リソースの区分
【０１８７】
前述したように、ＡＣＫ／ＮＡＣＫ（ＳＲを含むことができる）とＣＳＩを多重化して送信する場合とＣＳＩのみを送信する場合、同じフォーマット（例えば、ＰＵＣＣＨフォーマット３）、同じリソースを使用すると、ＡＣＫ／ＮＡＣＫの存否によって曖昧性が発生できる。このような曖昧性を解決するために、前述したように、存否の曖昧性がないＵＣＩを前に配置する方法は、実際送信されないＵＣＩのためのリソース確保をしてコーディング方式を決定しなければならず、曖昧性はないが重要度が落ちるＣＳＩのような情報が、低いＢＳＩを有するＲＭベイシスシーケンスとコーディングされる結果が発生する問題がある。
【０１８８】
したがって、本発明では、ＡＣＫ／ＮＡＣＫとＣＳＩを多重化して送信する場合とＣＳＩのみを送信する場合、互いに異なるフォーマットを使用して送信し、又は同じフォーマットを使用するとしても、互いに排他的に区分されるリソースを割り当てて送信する方法を提案する。
【０１８９】
例えば、端末がＣＳＩを送信するＵＬサブフレームがサブフレームｎとする時、サブフレームｎに対応されるＤＬサブフレーム（サブフレームｎ−ｋ）で
【０１９０】
ｉ）ＡＣＫ／ＮＡＣＫ応答が必要なＤＬチャネルを検出することができなくて前記ＵＬサブフレームでＣＳＩのみを送信しなければならない場合、ＣＳＩのみで構成されたＵＣＩを構成し、第１のリソースを使用し、
【０１９１】
ｉｉ）ＡＣＫ／ＮＡＣＫ応答が必要なＤＬチャネルを検出して前記ＵＬサブフレームでＡＣＫ／ＮＡＣＫとＣＳＩを多重化して共に送信しなければならない場合、ＡＣＫ／ＮＡＣＫ＋ＣＳＩで構成されたＵＣＩを構成し、第２のリソースを使用する。
【０１９２】
第１のリソースと第２のリソースに対して説明する。
【０１９３】
図２０は、第１のリソースと第２のリソースを例示する。
【０１９４】
第１のリソースと第２のリソースは、互いに排他的に区分されるリソースやフォーマットを意味する。
【０１９５】
第１のリソースは、ＲＲＣに予め割当を受けた一つの固定されたリソースを使用することができる。そして、第２のリソースは、ＲＲＣに予め割当を受けた複数のリソース（例えば、４個のリソース）、即ち、リソース集合のうち、ＡＣＫ／ＮＡＣＫを要求するＤＬチャネル、例えば、ＳＰＳ解除ＰＤＣＣＨ、又はＡＣＫ／ＮＡＣＫが要求されるＰＤＳＣＨをスケジューリングする制御チャネル（ＰＤＣＣＨ）に送信されるＡＲＩが指示するリソースを一つ選択して使用することができる。
【０１９６】
図２１は、同じフォーマットを介してＡＣＫ／ＮＡＣＫとＣＳＩを多重化して送信することができる時、リソース選択方法の例を示す。
【０１９７】
端末は、周期的ＣＳＩを送信するＵＬサブフレームに対し、前記ＵＬサブフレームに対応されるＤＬサブフレームでＡＣＫ／ＮＡＣＫ応答を要求するＤＬチャネルを検出したかどうかを判断する（Ｓ１１０）。
【０１９８】
ＤＬチャネルが検出されない場合、端末は、周期的ＣＳＩのみでＵＣＩを構成し（Ｓ１４０）、ＲＲＣにより予め指定された一つの固定された第１のリソースを介してＵＣＩを送信する（Ｓ１５０）。一方、ＤＬチャネルが検出された場合、前記ＤＬチャネルに対するＡＣＫ／ＮＡＣＫと周期的ＣＳＩで構成されたＵＣＩを構成し（Ｓ１２０）、ＲＲＣにより指定された複数のリソースのうち、ＡＲＩにより指示される第２のリソースを介して前記ＵＣＩを送信する。
【０１９９】
図２１において、ＤＬチャネルの検出可否を介して第１のリソース又は第２のリソースを選択したが、より具体的には、端末がＤＬチャネルでＡＲＩを受信したかどうかによって、第１のリソース又は第２のリソースを選択することができる。例えば、端末にＡＣＫ／ＮＡＣＫ送信のためにＰＵＣＣＨフォーマット３が設定され、周期的ＣＳＩと共にＡＣＫ／ＮＡＣＫ送信が設定されたＵＬサブフレームを仮定する。ＡＣＫ／ＮＡＣＫを要求するＤＬチャネル又はこれをスケジューリングするＰＤＣＣＨでＡＲＩによりＰＵＣＣＨフォーマット３リソース（第２のリソース）が指示されると、端末は、ＡＣＫ／ＮＡＣＫ（ＳＲを含むことができる）と一つのセルに対する周期的ＣＳＩを２２ビットまでジョイントコーディングして多重化し、ＡＲＩにより指示されるＰＵＣＣＨフォーマット３リソース（第２のリソース）を介して送信する。一方、ＡＲＩがない場合、ＲＲＣにより予め指定された第１のリソースを介して周期的ＣＳＩのみで構成されたＵＣＩを送信する。
【０２００】
即ち、図２１の方法によると、端末は、下記のように動作することができる。端末は、ダウンリンクサブフレームでＡＣＫ／ＮＡＣＫ応答を要求するデータユニットを受信する。ここで、データユニットは、前記ダウンリンクサブフレームのＰＤＳＣＨ（ｐｈｙｓｉｃａｌ  ｄｏｗｎｌｉｎｋ  ｓｈａｒｅｄ  ｃｈａｎｎｅｌ）を介して送信されるコードワード（ｃｏｄｅｗｏｒｄ）又は前記ダウンリンクサブフレームで送信されるＰＤＣＣＨ等である。前記ＰＤＣＣＨは、半永続的スケジューリング（ｓｅｍｉ−ｐｅｒｓｉｓｔｅｎｔ  ｓｃｈｅｄｕｌｉｎｇ：ＳＰＳ）の解除を指示するＰＤＣＣＨである。端末は、前記データユニットに対するＡＣＫ／ＮＡＣＫをアップリンクサブフレームで送信し、前記アップリンクサブフレームが周期的チャネル状態情報（ｃｈａｎｎｅｌ  ｓｔａｔｅ  ｉｎｆｏｒｍａｔｉｏｎ：ＣＳＩ）を送信するように設定された場合、前記周期的ＣＳＩと前記ＡＣＫ／ＮＡＣＫを前記アップリンクサブフレームのＰＵＣＣＨ（ｐｈｙｓｉｃａｌ  ｕｐｌｉｎｋ  ｃｏｎｔｒｏｌ  ｃｈａｎｎｅｌ）を介して共に送信する。前記ＡＣＫ／ＮＡＣＫと前記周期的ＣＳＩは、ジョイントコーディング（ｊｏｉｎｔ  ｃｏｄｉｎｇ）されて送信されることができる。このとき、前記ダウンリンクサブフレームにＡＲＩ（ＡＣＫ／ＮＡＣＫ  ｒｅｓｏｕｒｃｅ  ｉｎｄｉｃａｔｏｒ）が含まれると、前記ＰＵＣＣＨが送信されるリソースは、ＲＲＣのような上位階層信号として予め指定された複数のリソース、即ち、リソース集合内で前記ＡＲＩにより指示される一つのリソースである。前記ＡＲＩは、前記ダウンリンクサブフレームのＰＤＣＣＨ（ｐｈｙｓｉｃａｌ  ｄｏｗｎｌｉｎｋ  ｃｏｎｔｒｏｌ  ｃｈａｎｎｅｌ）を介して送信されるダウンリンク制御情報（ｄｏｗｎｌｉｎｋ  ｃｏｎｔｒｏｌ  ｉｎｆｏｒｍａｔｉｏｎ：ＤＣＩ）に含まれることができる。
【０２０１】
周期的ＣＳＩが送信されることができるアップリンクサブフレームは、上位階層信号により予め決定されることができる。
【０２０２】
そして、前記ＡＣＫ／ＮＡＣＫが送信されるＰＵＣＣＨフォーマットは、複数のＰＵＣＣＨフォーマットのうち一つであり、上位階層信号により予め設定されるＰＵＣＣＨフォーマット、例えば、前述したＰＵＣＣＨフォーマット３である。ＰＵＣＣＨフォーマット３は、最大２２ビットの情報ビットを送信することができるＰＵＣＣＨフォーマットである。
【０２０３】
そして、前記アップリンクサブフレームで、周期的ＣＳＩのみを送信する時に使われるＰＵＣＣＨリソースを第１のリソースとし、前記ＡＲＩにより指示される一つのリソースを第２のリソースとする時、前記第１のリソースと前記第２のリソースは、図２０を参照して説明したように、互いに排他的に区分されるリソースである。
【０２０４】
前述した方法によると、ＡＣＫ／ＮＡＣＫと周期的ＣＳＩが共に送信される場合と周期的ＣＳＩのみが送信される場合、互いに区分されるリソースを使用するため、基地局立場で曖昧性が発生しない。したがって、信頼性あり、且つ効率的にＵＣＩを送信することができる。一方、第１のリソースと第２のリソースの割当方式で、ＡＣＫ／ＮＡＣＫの対象となるＣＣ及び／又はＡＣＫ／ＮＡＣＫの個数によって又はＡＲＩの取得有無によって、下記のようなリソース割当方式が設定されることができる。
【０２０５】
１）‘第１のＡＣＫ／ＮＡＣＫ対象の組合せ’に対するＡＣＫ／ＮＡＣＫ（これを‘ＡＣＫ／ＮＡＣＫ組合せ１’という）とＣＳＩを共に送信しなければならない場合又はＡＣＫ／ＮＡＣＫ送信対象がなくてＣＳＩのみ発生する場合、ＡＣＫ／ＮＡＣＫ組合せ１とＣＳＩで構成されたＵＣＩを構成して第１のリソースを使用し、
【０２０６】
２）‘第２のＡＣＫ／ＮＡＣＫ対象の組合せ’に対するＡＣＫ／ＮＡＣＫ（これを‘ＡＣＫ／ＮＡＣＫ組合せ２’という）とＣＳＩを共に送信しなければならない場合、ＡＣＫ／ＮＡＣＫ組合せ２とＣＳＩで構成されたＵＣＩを構成して第２のリソースを使用することができる。
【０２０７】
図２２は、第１のリソースと第２のリソースでのＵＣＩ構成の例を示す。
【０２０８】
図２２を参照すると、第２のリソースは、ＡＣＫ／ＮＡＣＫと周期的ＣＳＩが共に送信される場合であり、ＡＣＫ／ＮＡＣＫと周期的ＣＳＩが配置される。第１のリソースは、第１のＡＣＫ／ＮＡＣＫ対象の組合せを検出することができなくてＣＳＩのみ発生する場合にも、ＡＣＫ／ＮＡＣＫ組合せ１のためのリソースを確保する。これは基地局がＡＣＫ／ＮＡＣＫ応答が必要なＤＬチャネルを送信したが、端末がこれの検出に失敗した時、基地局と端末との間の曖昧性が発生する状況に備えることである。この方法は、実際ＡＣＫ／ＮＡＣＫ応答対象チャネルの検出有無と関係なしでＡＣＫ／ＮＡＣＫリソースを常に確保する方式と同様であるが、ＡＣＫ／ＮＡＣＫ組合せ１は、基地局−端末間の基本的な通信のためのＡＣＫ／ＮＡＣＫリソースのみを確保するようにするという点でリソース浪費を減らすことができる長所がある。
【０２０９】
例えば、ＦＤＤの場合、ＰＣＣのＤＬ送信モードが単一コードワード送信モードであると、１ビットを確保し、ＰＣＣのＤＬ送信モードが多重コードワード送信モードであると、２ビットを確保してＰＣＣスケジューリングである場合に使用することができる。ＴＤＤの場合、一つのＵＬサブフレームにＰＣＣで送信された一つのチャネルに対するＡＣＫ／ＮＡＣＫ応答用として１ビット（単一コードワード送信モード）又は２ビット（多重コードワード送信モード）を使用し、又はＰＣＣで送信された複数のチャネルに対するＡＣＫ／ＮＡＣＫ応答用として２ビットを確保して送信することができる。また、ＳＲサブフレームではＳＲビットフィールドも‘ＡＣＫ／ＮＡＣＫ組合せ１’に含ませることができる。
【０２１０】
２ビットＡＣＫ／ＮＡＣＫ位置には、ＡＣＫ／ＮＡＣＫバンドリング（例えば、空間バンドリング又は／及び論理的ＡＮＤ演算適用、連続的なＡＣＫカウンタ等）技法を適用して圧縮送信することができる。
【０２１１】
ＴＤＤの場合、ＡＣＫ／ＮＡＣＫ応答を要求するＤＡＩ（Ｄｏｗｎｌｉｎｋ  Ａｓｓｉｇｎｍｅｎｔ  Ｉｎｄｅｘ）＝１であるＰＤＣＣＨ（例：ＳＰＳ解除ＰＤＣＣＨ）又はＰＤＣＣＨにスケジューリングされたＰＤＳＣＨがＰＣＣにのみ一つ存在し、該当ＰＤＣＣＨのＤＡＩ＝１である場合に対するＡＣＫ／ＮＡＣＫとＰＤＣＣＨなしでスケジューリングされたＰＤＳＣＨ（例：ＳＰＳ方式にスケジューリングされたＰＤＳＣＨ）に対するＡＣＫ／ＮＡＣＫが同時に発生する場合を考慮し、各々のＡＣＫ／ＮＡＣＫを送信するために２ビット以上を確保して送信することができる。例えば、多重コードワード送信モードでは３ビットを確保することで、１番目のビットはＰＤＣＣＨなしでスケジューリングされたＰＤＳＣＨ、残りの２ビットは‘ＤＡＩ＝１であるＰＤＳＣＨ’又はＤＡＩ＝１であるＳＰＳ解除ＰＤＣＣＨに対するＡＣＫ／ＮＡＣＫとして使用することができる。単一コードワード送信モードでは２ビットを確保しすることで、１ビットは‘ＰＤＣＣＨなしでスケジューリングされるＰＤＳＣＨ’、残りの１ビットは、ＤＡＩ＝１であるＰＤＳＣＨ又はＤＡＩ＝１であるＳＰＳ解除ＰＤＣＣＨに対するＡＣＫ／ＮＡＣＫとして使用することができる。
【０２１２】
ＡＣＫ／ＮＡＣＫビットは、前記例示のようにＡＣＫ／ＮＡＣＫ対象の条件によって予め固定されたビット順序にマッピングされることができる。例えば、‘ＰＤＣＣＨにスケジューリングされるＰＤＳＣＨ’に対するＡＣＫ／ＮＡＣＫビットを‘ＡＣＫ／ＮＡＣＫ組合せ１’のＭＳＢからマッピングし、‘ＰＤＣＣＨなしでスケジューリングされるＰＤＳＣＨ’に対するＡＣＫ／ＮＡＣＫビットが含まれている場合は‘ＡＣＫ／ＮＡＣＫ組合せ１’のＬＳＢ側にマッピングする。また、ＳＲサブフレームでは‘ＡＣＫ／ＮＡＣＫ組合せ１’にＳＲビットフィールドが含まれる場合、‘ＡＣＫ／ＮＡＣＫ組合せ１’のＬＳＢにマッピングすることができる。
【０２１３】
前記で特徴的に第１のリソースと第２のリソースの送信に使われるＰＵＣＣＨフォーマットが同じ場合（例：ＰＵＣＣＨフォーマット３）、‘ＡＣＫ／ＮＡＣＫ組合せ１’のリソースが第１のリソースに確保するようにすることができる。
【０２１４】
一方、ＡＣＫ／ＮＡＣＫ組合せ２のＡＣＫ／ＮＡＣＫビット数は、ＵＬサブフレームで発生可能な最大ＡＣＫ／ＮＡＣＫの個数であり、端末に設定されたＤＬ  ＣＣの個数及び各ＤＬ  ＣＣでの送信モードによって決定され、ＴＤＤの場合、一つのＵＬサブフレームに対応されるＤＬサブフレームの個数も追加的に考慮して決定される。
【０２１５】
前記第１のＡＣＫ／ＮＡＣＫ対象組合せと第２のＡＣＫ／ＮＡＣＫ対象組合せは、下記のように決定されることができる。
【０２１６】
ＡＣＫ／ＮＡＣＫ送信が必要であり、ＡＲＩを含むＰＤＣＣＨが存在しなくてＡＲＩを取得することができないＡＣＫ／ＮＡＣＫの対象は、第１のＡＣＫ／ＮＡＣＫ対象組合せになる。ＡＣＫ／ＮＡＣＫ送信が必要であり、ＡＲＩを含むＰＤＣＣＨが存在してＡＲＩを取得することができるＡＣＫ／ＮＡＣＫの対象は、第２のＡＣＫ／ＮＡＣＫ対象組合せになる。
【０２１７】
ＡＣＫ／ＮＡＣＫ対象ＣＣ及び／又はＡＣＫ／ＮＡＣＫ個数によるリソース割当方式は、下記の通りである。
【０２１８】
ＦＤＤで、多重ＣＣ用ＡＣＫ／ＮＡＣＫ送信のためにＰＵＣＣＨフォーマット３使用が設定された場合、又は多重ＣＣ用ＡＣＫ／ＮＡＣＫ送信のためにＰＵＣＣＨフォーマット１ａ／１ｂチャネル選択を使用するように設定された場合、ＣＳＩを送信するＵＬサブフレームでＡＣＫ／ＮＡＣＫ送信が必要であり、前記ＵＬサブフレームに対応されるＤＬサブフレームに
【０２１９】
ｉ）一つのＰＤＳＣＨがＰＣＣにのみ存在し、ＰＤＣＣＨなしでスケジューリングされる場合、
【０２２０】
ｉｉ）一つのＰＤＳＣＨがＰＣＣにのみ存在し、ＰＤＣＣＨにスケジューリングされる場合、
【０２２１】
ｉｉｉ）一つのＰＤＣＣＨがＰＣＣにのみ存在し、該当ＰＤＣＣＨがＡＣＫ／ＮＡＣＫ応答が必要な場合には第１のＡＣＫ／ＮＡＣＫ対象組合せになる。
【０２２２】
その以外の場合には第２のＡＣＫ／ＮＡＣＫ対象組合せになる。
【０２２３】
ＴＤＤで、多重ＣＣ用ＡＣＫ／ＮＡＣＫ送信のためにＰＵＣＣＨフォーマット３を使用するように設定された場合、又は多重ＣＣ用ＡＣＫ／ＮＡＣＫ送信のためにＰＵＣＣＨフォーマット１ａ／１ｂチャネル選択が設定された場合、ＤＬ  ＣＣに対するＣＳＩを送信するＵＬサブフレーム（サブフレームｎ）にＡＣＫ／ＮＡＣＫ送信が必要であり、このＵＬサブフレームに対応されるＤＬサブフレーム（サブフレームｎ−ｋ、ｋは集合Ｋの要素であり、ＫはＭ個の要素で構成された集合であり、３ＧＰＰ  ＴＳ  ３６．２１３  Ｖ１０、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｌａｙｅｒ  ｐｒｏｃｅｄｕｒｅｓ（Ｒｅｌｅａｓｅ  １０）ｔａｂｌｅ  １０．１．３．１−３により定義される）に
【０２２４】
ｉ）ＰＤＣＣＨなしでスケジューリングされたＰＤＳＣＨがＰＣＣにのみ一つ存在し、ＡＣＫ／ＮＡＣＫ応答を要求するＰＤＣＣＨがない場合
【０２２５】
ｉｉ）ＰＤＣＣＨにスケジューリングされたＰＤＳＣＨがＰＣＣにのみ一つ存在し、ＰＤＣＣＨのＤＡＩ＝１である場合
【０２２６】
ｉｉｉ）ＡＣＫ／ＮＡＣＫ応答を要求するＤＡＩ＝１であるＰＤＣＣＨが一つ存在し、ＰＤＳＣＨがない場合
【０２２７】
ｉｖ）ＡＣＫ／ＮＡＣＫ応答を要求するＤＡＩ＝１であるＰＤＣＣＨが存在又はＰＤＣＣＨにスケジューリングされたＰＤＳＣＨがＰＣＣにのみ一つ存在し、該当ＰＤＣＣＨのＤＡＩ＝１であると同時にＰＤＣＣＨなしでスケジューリングされたＰＤＳＣＨが一つある場合
【０２２８】
前記ｉ）乃至ｉｖ）には第１のＡＣＫ／ＮＡＣＫ対象組合せになる。
【０２２９】
その以外の場合には第２のＡＣＫ／ＮＡＣＫ対象組合せになる。
【０２３０】
ＴＤＤで、多重ＣＣ用ＡＣＫ／ＮＡＣＫ送信のためにＰＵＣＣＨフォーマット１ａ／１ｂチャネル選択が設定された場合、ＤＬ  ＣＣに対するＣＳＩを送信するＵＬサブフレーム（サブフレームｎ）にＡＣＫ／ＮＡＣＫ送信が必要であり、このＵＬサブフレームに対応されるＤＬサブフレーム（サブフレームｎ−ｋ）にＰＣＣにのみＰＤＳＣＨ又はＡＣＫ／ＮＡＣＫ応答が必要なＰＤＣＣＨを受信した場合、第１のＡＣＫ／ＮＡＣＫ対象組合せになり、その以外の場合には第２のＡＣＫ／ＮＡＣＫ対象組合せになる。
【０２３１】
ＩＶ．ＣＳＩ送信リソースの指示方法
【０２３２】
周期的ＣＳＩ送信は、予めＲＲＣに設定された周期によって送信され、関連されたＰＤＣＣＨがない。したがって、ＣＳＩの送信のためのリソースの位置は、予め指定される。
【０２３３】
一方、ＡＣＫ／ＮＡＣＫ送信は、ＰＤＳＣＨをスケジューリングするＰＤＣＣＨが存在し、このＰＤＣＣＨに含まれているＡＲＩ（ＡＣＫ／ＮＡＣＫ  ｒｅｓｏｕｒｃｅ  ｉｎｄｉｃａｔｏｒ）を介してＡＣＫ／ＮＡＣＫ送信リソースの位置を指示することができる。ＡＲＩビットは制限されるため、指示できるリソースは制限される。したがって、ＲＲＣに予めリソース集合を割り当て、該当リソース集合内でＡＲＩを介して特定リソースを指示する。例えば、ＡＲＩビットが２ビットの場合、４個のリソースを指示することができるため、ＲＲＣに４個のリソースを含むリソース集合を割り当て、ＡＲＩを介して前記４個のリソースのうちいずれか一つを指示することができる。
【０２３４】
もし、ＣＳＩ用リソースとＡＣＫ／ＮＡＣＫリソースを独立的に割り当てる場合、５個のリソースをＲＲＣに割り当てる。もし、ＣＳＩ用リソースとＡＣＫ／ＮＡＣＫリソースのフォーマットが同じ場合、不要なリソース割当を減らすために、ＣＳＩ用リソースをＲＲＣに指定されるＡＣＫ／ＮＡＣＫリソース集合のうち一つを使用するようにすることも可能である。即ち、ＡＣＫ／ＮＡＣＫ用リソース集合をＲＲＣに割り当てた後、ＣＳＩ用リソースは、ＡＲＩを介して指示し、又はＣＳＩ用リソースのＲＲＣ指示を避けるために、ＣＳＩ用リソースは、ＰＤＣＣＨを介してＡＲＩの指示なしで予め約束されたＡＲＩのリソースを使用することができる。例えば、ＡＲＩ＝０である値が指示するリソースは、ＣＳＩ用リソースとして使用するように予め固定することができる。ＡＣＫ／ＮＡＣＫ用リソースは、ＣＳＩ用リソースと区別するために、ＡＲＩ＝１、２、３である値が指示するリソースに限定することができる。
【０２３５】
ＣＳＩとＡＣＫ／ＮＡＣＫを同時に送信するように予定されたＵＬサブフレームで、ＣＳＩ用リソースとしてＣＳＩのみを送信し、ＡＣＫ／ＮＡＣＫリソースとしてＡＣＫ／ＮＡＣＫとＣＳＩを共に送信することができる。
【０２３６】
または、ＣＳＩ用リソースは、一部特定対象に対するＡＣＫ／ＮＡＣＫ組合せが含まれている形態であり、ＡＣＫ／ＮＡＣＫリソースは、ＡＣＫ／ＮＡＣＫ組合せ２とＣＳＩが同時に送信される形態である。
【０２３７】
一方、既存ＡＲＩの送信は、ＦＤＤの場合、セコンダリセルのＰＤＳＣＨをスケジューリングするＰＤＣＣＨのＴＰＣフィールドを借用して送信される。プライマリセルのＰＤＳＣＨをスケジューリングするＰＤＣＣＨのＴＰＣフィールドは、元来用途である電力制御用途として使われる。ＴＤＤの場合、ＤＡＩ初期値（例えば、１）を有しながら、プライマリセルのＰＤＳＣＨをスケジューリングするＰＤＣＣＨ（このＰＤＣＣＨのＴＰＣフィールドは、元来用途である電力制御用途として使用）を除いた残りのＰＤＣＣＨのＴＰＣフィールドを借用して送信される。ＣＳＩとＡＣＫ／ＮＡＣＫが多重化されて送信される場合、ＣＳＩ送信のためにＲＲＣに予約されたフォーマットとリソースを介して送信することができ、このとき、ＡＣＫ／ＮＡＣＫ送信リソースを指定するためのＡＲＩの指示は不要である。したがって、ＡＲＩのために使われたビットは、下記のように使われることができる。
【０２３８】
１）元来の用途であるＴＰＣ
【０２３９】
ＴＰＣ値は、全部同じ値でシグナリングされ、該当ＴＰＣ値が最終電力値として使われ、又は、ＦＤＤの場合、コンポーネント搬送波別に独立的なＴＰＣ値がシグナリングされ、累積和が最終電力値として使われることができる。または、ＴＤＤの場合、同じサブフレームに対しては全てのコンポーネント搬送波に対して同じＴＰＣ値がシグナリングされ、該当ＴＰＣ値がサブフレーム別に独立的であり、サブフレーム別該当ＴＰＣ値の累積和が最終電力値として使われることができる。
【０２４０】
２）ＵＣＩ組合せ指示用として使用
【０２４１】
例えば、最大送信可能なペイロードビット数の制限又は要求されるＳＩＮＲのための送信電力／コード率の限界を考慮し、下記のようなＵＣＩ組合せを指示することができる。
【０２４２】
複数のＤＬ  ＣＣに対する周期的ＣＳＩが存在する時、いずれのＤＬ  ＣＣに対する周期的ＣＳＩを送信するかを指示することができる。例えば、全体ＤＬ  ＣＣ、予め指定されたＤＬ  ＣＣ又は特定ＤＬ  ＣＣを直接指示することができる。反対に、ＣＳＩをドロップ（ｄｒｏｐ）するＤＬ  ＣＣを指示することもできる。
【０２４３】
または、ＣＳＩに何を送信するかを指示することができる。例えば、ＰＭＩ、ＲＩ、ＣＱＩの全てを送信することを指示し、又は優先順位を有する特定コンテンツ（ＲＩ、ＰＴＩ）を指示し、又は特定コンテンツを直接指示することができる。または、反対に、送信せずに、ドロップするＣＳＩを指示することができる。ＣＳＩ情報の圧縮（予め決められた簡素化されたＣＳＩ情報組合せ使用）可否に対する情報を指示することもできる。
【０２４４】
最大送信可能なＡＣＫ／ＮＡＣＫペイロードビット数（又は、これを推定することができる間接的な情報、例えば、アップリンクサブフレームに対応されるダウンリンク時間区間にスケジューリングされたＣＣの数又は順序値、サブフレーム数又は順序値）、ＡＣＫ／ＮＡＣＫビット圧縮可否（空間バンドリング使用可否、追加的なサブフレーム／ＣＣ領域バンドリング等の適用可否）等に対する情報が指示されることができる。
【０２４５】
指定されたリソースでのフォーマットの構成方法が指示されることもできる。例えば、ＰＵＣＣＨフォーマット３を使用する場合、拡散因子値を調整して容量を調整することができる。または、全体送信可能なビット数に対する情報が指示されることもできる。
【０２４６】
または、ＣＳＩのみの送信リソースが特定ＡＲＩ値に対応されるＡＣＫ／ＮＡＣＫリソースを使用するように設定された場合、ＡＲＩは、仮想的なＣＲＣ用途として該当特定ＡＲＩ値を指示することができる。
【０２４７】
Ｖ．コーディング技法
【０２４８】
ＰＵＣＣＨフォーマット３を使用する場合、単一ＲＭと二重ＲＭの選択基準が必要である。このために、単一ＲＭの場合、ＵＣＩのビット数が１１ビット以下の場合に使用し、二重ＲＭの場合、ＵＣＩのビット数が１１ビットより大きい場合に使用することができる。もちろん、これは例示に過ぎない。
【０２４９】
１．端末が実際送信するＵＣＩ組合せのビット数の総和を基準に決定する方法
【０２５０】
ＡＣＫ／ＮＡＣＫを送信する場合にはＡＣＫ／ＮＡＣＫビット数を基準にし、ＣＳＩを送信する場合にはＣＳＩビット数の総和を基準にする。ＡＣＫ／ＮＡＣＫとＣＳＩを同時送信する場合にはＡＣＫ／ＮＡＣＫビット数とＣＳＩビット数の総和を基準にする。
【０２５１】
ＡＣＫ／ＮＡＣＫとＳＲを同時送信する場合にはＡＣＫ／ＮＡＣＫビット数とＳＲビット数の総和を基準にする。ＳＲとＣＳＩを同時送信する場合にはＳＲビット数とＣＳＩビット数の総和を基準にする。ＡＣＫ／ＮＡＣＫ、ＳＲ、及びＣＳＩを同時送信する場合にはＡＣＫ／ＮＡＣＫビット数、ＳＲビット数、及びＣＳＩビット数の総和を基準にする。
【０２５２】
２．曖昧性（ａｍｂｉｇｕｉｔｙ）がある送信可能なＵＣＩ組合せと曖昧性がないＵＣＩ組合せの総和を基準にする方法
【０２５３】
端末が実際ＡＣＫ／ＮＡＣＫを送信しなければならないが、これに失敗した場合にもエラー可否に関係なしで同じコーディング技法を維持するようにすることで、基地局がＵＣＩをデコーディングする時、フィールド構成にエラーが無いようにし、追加的なブラインドデコーディングを誘発しないようにする。
【０２５４】
ＡＣＫ／ＮＡＣＫ送信時にはＡＣＫ／ＮＡＣＫビット数を基準にし、ＣＳＩ送信時にはＣＳＩビット数と送信可能なＡＣＫ／ＮＡＣＫビット数の総和を基準にする。好ましくは、ＡＣＫ／ＮＡＣＫのためのビット位置にはＮＡＣＫを送信する。
【０２５５】
ＡＣＫ／ＮＡＣＫとＣＳＩを同時送信する場合にはＡＣＫ／ＮＡＣＫビット数とＣＳＩビット数の総和を基準にし、ＡＣＫ／ＮＡＣＫとＳＲを同時送信する場合にはＡＣＫ／ＮＡＣＫビット数とＳＲビット数の総和を基準にする。ＳＲとＣＳＩの同時送信の際、ＳＲビット数とＣＳＩビット数と送信可能なＡＣＫ／ＮＡＣＫビット数の総和を基準にする。好ましくは、ＡＣＫ／ＮＡＣＫのためのビット位置にはＮＡＣＫを送信する。
【０２５６】
ＡＣＫ／ＮＡＣＫ、ＳＲ、及びＣＳＩの同時送信時にはＡＣＫ／ＮＡＣＫビット数とＳＲビット数とＣＳＩビット数の総和を基準にする。
【０２５７】
３．曖昧性がある送信可能なＵＣＩ組合せと曖昧性がないＵＣＩ組合せの総和を基準にする方法
【０２５８】
全ての組合せ、即ち、ＡＣＫ／ＮＡＣＫビット数、ＳＲビット数、ＣＳＩビット数の総和を基準にする方法である。
【０２５９】
送信可能なＡＣＫ／ＮＡＣＫビット数は、該当サブフレームで発生可能なＡＣＫ／ＮＡＣＫの個数により決定される。端末に設定されたＤＬ  ＣＣの個数、各ＤＬ  ＣＣでのダウンリンク送信モード（これにより一つのダウンリンクサブフレームでスケジューリング可能な最大トランスポートブロックの個数が決定）により決定され、ＴＤＤの場合、一つのＵＬサブフレームに対応されるＤＬサブフレームの数も追加に考慮されなければならない。
【０２６０】
ＡＣＫ／ＮＡＣＫ組合せ１、ＡＣＫ／ＮＡＣＫ組合せ２のようにＡＣＫ／ＮＡＣＫ対象になるＤＬチャネル組合せが区分され、これによるＡＣＫ／ＮＡＣＫビット数が決定される場合、該当送信可能なＡＣＫ／ＮＡＣＫビット数は、ＡＣＫ／ＮＡＣＫ組合せ１とＡＣＫ／ＮＡＣＫ組合せ２による各々のビット数になることができる。
【０２６１】
ＶＩ．ＡＣＫ／ＮＡＣＫ、ＳＲ、及びＣＳＩの個別コーディング
【０２６２】
ＡＣＫ／ＮＡＣＫ（ＳＲが送信されるサブフレームでは、ＳＲビットがＡＣＫ／ＮＡＣＫに追加されることができる。以下、同じ）とＣＳＩの多重化時に個別コーディング方法を提案する。
【０２６３】
図２３は、ＡＣＫ／ＮＡＣＫとＣＳＩの個別コーディングを例示する。
【０２６４】
図２３を参照すると、ＵＣＩ種類別にＲＭコーディングブロックにマッピングされるようにする。ＡＣＫ／ＮＡＣＫの存否に対するエラーが発生できるという点を考慮し、ＣＳＩ送信サブフレームでは、ＡＣＫ／ＮＡＣＫ存否に関係なしで、ＣＳＩは、セグメント（ｓｅｇｍｅｎｔ）にのみ固定してマッピングすることを考慮することができる。残りのセグメントは、ＡＣＫ／ＮＡＣＫ送信のために使われる。
【０２６５】
端末がＣＳＩを送信しないＵＬサブフレームでは、ＡＣＫ／ＮＡＣＫは、端末に割り当てられたＰＵＣＣＨフォーマット３内の全てのリソースを利用して送信されることができる。一方、端末がＵＬサブフレームに送信するＡＣＫ／ＮＡＣＫがなくても、ＣＳＩは、該当設定で発生可能な最大ＡＣＫ／ＮＡＣＫ情報がマッピングされるリソースを除いた残りのリソースにマッピングする。
【０２６６】
ＡＣＫ／ＮＡＣＫとＣＳＩは、互いに独立的なコーディングが適用され、図２３に示すように、二重ＲＭコーディングの各部分にマッピングされてＲＭコーディングされることができる。ＡＣＫ／ＮＡＣＫ、ＣＳＩの各々の性能要求事項によってレートマッチングが異なるように適用されることができる。
【０２６７】
即ち、既存のＰＵＣＣＨフォーマット３では、常に二重ＲＭエンコーダの出力が２４ビットでレートマッチングされたが、各ＲＭにマッピングされるＣＳＩとＡＣＫ／ＮＡＣＫビット数と性能要求事項によって、各ＲＭのコーディングされた出力は、２４ビット以上（１２ＱＰＳＫ変調シンボル以上）又は２４ビット以下（１２ＱＰＳＫ変調シンボル以下）でレートマッチングされ、二つのＲＭコーディングの出力されるコーディングされたビット数の和は、４８（２４ＱＰＳＫ変調シンボル）になるようにすることができる。一般的にＡＣＫ／ＮＡＣＫの性能要求事項は、ＢＥＲ１０−３以下、ＣＳＩの性能要求事項は、ＢＬＥＲ１０−２以下である。
【０２６８】
一方、情報の優先順位又はエラー率に対する要求事項によって、ＵＣＩをグループ化し、グループ内の情報は、ジョイントコーディングをし、各グループ間は、個別コーディングすることができる。
【０２６９】
グループ化の例には、ＡＣＫ／ＮＡＣＫ及びＳＲを第１のグループにし、ＣＳＩを第２のグループにする。または、ＣＳＩの情報のうち、以後の送信に伝達される情報に影響を及ぼす情報、例えば、ＲＩ、ＰＴＩ、Ｗ１等は、ＡＣＫ／ＮＡＣＫと類似する優先順位を与えてＡＣＫ／ＮＡＣＫと類似する第１のグループに含ませ、その以外の情報、例えば、ＣＱＩ、ＰＭＩ等は、第２のグループにすることができる。第１のグループ（又は、第２のグループ）のみ送信される場合、第１のグループが単一ＲＭや二重ＲＭにジョイントコーディングされ、第１のグループ及び第２のグループが同時送信される場合、第１のグループは二重ＲＭの１番目のＲＭコーディングに、第２のグループは二重ＲＭの２番目のＲＭコーディングに個別コーディングされることができる。ＵＣＩは、情報量によってＲＭでない異なるコーディング技法が適用されることもできる。
【０２７０】
図２４は、ＵＣＩのコーディング技法を例示する。
【０２７１】
図２４を参照すると、ＵＣＩは、ビット量によって、単一ＲＭ、二重ＲＭ、Ｔａｉｌ  ｂｉｔｉｎｇ  ｃｏｎｖｏｌｕｔｉｏｎ（ＴＢ  ＣＣ）コーディングのうちいずれか一つで選択的にコーディングされることができる。例えば、ＡＣＫ／ＮＡＣＫの場合、最大１０ビット（ＳＲを含む時、１１ビット）までは単一ＲＭが使われ、ＣＳＩは、複数のＤＬ  ＣＣに対するＣＳＩが適用されて二重ＲＭが適用されることができる（複数のＤＬ  ＣＣに対するＣＳＩは、ＤＬ  ＣＣ別に互いに独立的なコーディングが適用されることができる）。ＣＳＩ、ＡＣＫ／ＮＡＣＫ情報がチャネルコーディングされたコーディングされたビットは、情報別に要求されるエラー率によってレートマッチングが変わることができる。反復コーディング（ｒｅｐｅｔｉｔｉｏｎ  ｃｏｄｉｎｇ）、シンプレックスコーディング（ｓｉｍｐｌｅｘ  ｃｏｄｉｎｇ）等もコーディング方法として選択される場合、反復コーディングは１ビット、シンプレックスコーディングは２ビットＡＣＫ／ＮＡＣＫに適用されることができる。
【０２７２】
ＵＣＩ情報量によって、コーディング技法を変化しないようにするために、各ＲＭの入力ビットを常に１１ビット以下に制限する方法を考慮することができる。即ち、第１のグループと第２のグループ別に１１ビットを超えないようにすることである。このために、各グループのＵＣＩは、ＡＣＫ／ＮＡＣＫの場合、１０ビット（ＳＲを含む時、１１ビット）を超えると、バンドリングを実行することができる。ＣＳＩの場合、１１ビットが超えると、ドロップすることができる。ＡＣＫ／ＮＡＣＫ、ＳＲ、ＲＩ、ＰＴＩ、Ｗ１をグループ化する場合、総和が１１ビット以下の時にのみ一つのグループにグループ化し、ＡＣＫ／ＮＡＣＫ、ＳＲとグルーピングされて同時に送信される他の情報の和が１１ビットを超える時にはＡＣＫ／ＮＡＣＫ、ＳＲのみを第１のグループに送信し、その以外の情報は第２のグループに送信することができる。
【０２７３】
ＶＩＩ．コンテンツ指示子送信
【０２７４】
前述したように、ＡＣＫ／ＮＡＣＫの存否に対して曖昧性が発生できる。これを解決する一つの方法は、ＡＣＫ／ＮＡＣＫ存否に関係なしで特定ビットフィールドを留保（予備）することである。しかし、このような方法は、リソースの効率性が落ちるという短所がある。
【０２７５】
本発明ではＵＣＩを組合せて送信する場合、特定固定された位置のフィールドに送信ＵＣＩコンテンツ組合せを知らせる指示子を含むことができる。
【０２７６】
図２５は、ＵＣＩコンテンツ指示子を含む一例を示す。
【０２７７】
図２５のように、ＵＣＩビットのうち、１ビットは、特定ＵＣＩ種類、例えば、ＡＣＫ／ＮＡＣＫを含むかどうかを示すことができる。例えば、ＵＣＩコンテンツ指示子は、図２２を参照して説明した第１のリソースでの‘ＡＣＫ／ＮＡＣＫ組合せ１’を含むかどうかを指示することができる。
【０２７８】
または、複数のビットでＵＣＩ組合せを知らせることができる。このとき、ＣＳＩ送信対象ＤＬ  ＣＣの数、ＡＣＫ／ＮＡＣＫビット数、ＣＳＩ又はＡＣＫ／ＮＡＣＫ選択可否等を含んで知らせることができる。
【０２７９】
ＵＣＩコンテンツ指示子は、デコーディング性能を向上させるために、他のＵＣＩと分離して個別コーディングすることができる。他のＵＣＩと結合する場合には追加的なチャネルコーディングを実行することができる。即ち、ＵＣＩコンテンツ指示子に、１次チャネルコーディングを実行した後、他のＵＣＩと共に２次チャネルコーディングを実行することができる。例えば、１ビットＵＣＩコンテンツ指示子の場合、反復コーディングをし、２ビットＵＣＩコンテンツ指示子の場合、シンプレックスコーディングをした後、他のＵＣＩと共にジョイントコーディングすることができる。
【０２８０】
ＡＣＫ／ＮＡＣＫ送信可否によるＵＬ制御チャネルの使用可能なビット数に合わせてＵＣＩ組合せを調節することができる。即ち、ＣＳＩを送信するＵＬサブフレームで、ＣＳＩをドロップし、ＡＣＫ／ＮＡＣＫのみを全体リソースを活用して送信し、又は圧縮されたＡＣＫ／ＮＡＣＫと一つのＤＬ  ＣＣに対するＣＳＩを送信し、又はＡＣＫ／ＮＡＣＫ送信なしで複数のＤＬ  ＣＣに対するＣＳＩ送信等を指示することができる。
【０２８１】
ＵＣＩコンテンツ指示子を使用する方法及び図２２を参照して説明した方法は、選択的に使われることができる。
【０２８２】
例えば、端末にＣＳＩのみで構成されたＵＣＩを送信する用途でＰＵＣＣＨフォーマット３がＲＲＣを介して割り当てられることができる。
【０２８３】
この場合、ｉ）前記ＰＵＣＣＨフォーマット３を送信するためのリソースのうち、一部は、ＡＣＫ／ＮＡＣＫ（ＡＣＫ／ＮＡＣＫ組合せ１）のために予備する。これは端末がＡＣＫ／ＮＡＣＫを要求するデータユニット、即ち、ＡＣＫ／ＮＡＣＫ対象の組合せに失敗した場合に備えるためである。ＡＣＫ／ＮＡＣＫのために予備するリソースは、１）コードワード個数によって１、２ビット、２）ＴＤＤの場合、１）のビット以外にＳＰＳ  ＰＤＳＣＨのための１ビットＡＣＫ／ＮＡＣＫビット追加、３）ＳＲサブフレームではＳＲビットも含むことができる。これが図２２を参照して説明した方法である。
【０２８４】
または、前記した場合ｉｉ）端末は、ＵＣＩコンテンツ指示子を介してＡＣＫ／ＮＡＣＫ組合せ１を含むかどうかを知らせることもできる。
【０２８５】
即ち、前記ｉ）の方法は、ＣＳＩのみで構成されたＵＣＩ用ＰＵＣＣＨフォーマット３の一部リソースをＡＣＫ／ＮＡＣＫのために留保する方法であり、ｉｉ）の方法は、ＣＳＩのみで構成されたＵＣＩ用ＰＵＣＣＨフォーマット３の一部リソースにＵＣＩコンテンツ指示子を送信してＵＣＩの組合せを知らせる方法である。
【０２８６】
ＶＩＩＩ．ＡＣＫ／ＮＡＣＫとＣＳＩの同時送信設定の際、ＵＣＩ組合せによる送信リソース選択
【０２８７】
複数のＡＣＫ／ＮＡＣＫとＣＳＩを多重化して同時送信するように設定された場合、端末は、送信するＵＣＩ組合せによって送信リソースを選択することができる。
【０２８８】
ＡＣＫ／ＮＡＣＫ送信の際、ＰＣＣで送信されるＳＰＳ  ＰＤＳＣＨが一つである場合、又はＰＤＣＣＨにスケジューリングされたＰＣＣで送信されるＰＤＳＣＨが一つである場合、又はＡＣＫ／ＮＡＣＫ応答を要求するＰＤＣＣＨ（例えば、ＳＰＳ解除ＰＤＣＣＨ）が一つ存在する場合、ＰＵＣＣＨフォーマット１ａ／１ｂを使用する。ＰＣＣで送信されるＳＰＳ  ＰＤＳＣＨ一つとＰＤＣＣＨにスケジューリングされたＰＣＣで送信されるＰＤＳＣＨ又はＡＣＫ／ＮＡＣＫ応答を要求するＰＤＣＣＨ（ＳＰＳ解除ＰＤＣＣＨ）が同時に存在する場合、ＰＵＣＣＨフォーマット１ａ／１ｂチャネル選択を使用する。その以外の場合にはＰＵＣＣＨフォーマット３を使用する。ＡＣＫ／ＮＡＣＫは、最大２０ビットまで送信することができる。
【０２８９】
ＣＳＩ送信の際、ＡＣＫ／ＮＡＣＫなしで一つのＣＣに対するＣＳＩのみを送信する場合、ＰＵＣＣＨフォーマット２でＣＳＩを送信する。複数のＣＳＩを送信しなければならない場合にはＰＵＣＣＨフォーマット３を使用する。
【０２９０】
ＡＣＫ／ＮＡＣＫとＣＳＩを同時送信する時、ＰＣＣで送信されるＳＰＳ  ＰＤＳＣＨが一つである場合、又はＰＤＣＣＨにスケジューリングされるＰＣＣで送信されるＰＤＳＣＨが一つである場合、又はＡＣＫ／ＮＡＣＫ応答を要求するＰＤＣＣＨが一つ存在し、一つのＣＣに対するＣＳＩのみを送信する場合、ＣＳＩは、ＰＵＣＣＨフォーマット２で送信する。ＡＣＫ／ＮＡＣＫは、ＰＵＣＣＨフォーマット２参照信号変調に送信する。その以外の場合にはＰＵＣＣＨフォーマット３で多重化して送信する。ＣＳＩ多重化のために、ＡＣＫ／ＮＡＣＫをバンドリング、カウンタ等を利用して圧縮することができる。
【０２９１】
複数のＤＬ  ＣＣに対するＣＳＩが衝突するサブフレームで、ＰＣＣで送信されるＳＰＳ  ＰＤＳＣＨが一つである場合、又はＰＤＣＣＨにスケジューリングされるＰＣＣで送信されるＰＤＳＣＨが一つである場合、又はＡＣＫ／ＮＡＣＫ応答を要求するＰＤＣＣＨが一つ存在する場合には、フォールバック（ｆａｌｌｂａｃｋ）動作のために、一つのＤＬ  ＣＣに対するＣＳＩのみを選択し、残りはドロップし、選択されたＣＳＩは、ＰＵＣＣＨフォーマット２で送信し、ＡＣＫ／ＮＡＣＫは、ＰＵＣＣＨフォーマット２参照信号変調を介して送信することができる。
【０２９２】
ＡＣＫ／ＮＡＣＫとＳＲの同時送信の際、ＰＣＣで送信されるＳＰＳ  ＰＤＳＣＨが一つであり、又はＰＤＣＣＨにスケジューリングされたＰＣＣで送信されるＰＤＳＣＨが一つである場合、又はＡＣＫ／ＮＡＣＫ応答を要求するＰＤＣＣＨが一つ存在する場合、負のＳＲは、動的ＰＵＣＣＨフォーマット１ａ／１ｂリソース（即ち、ＰＤＣＣＨが送信される１番目のＣＣＥに対応されるリソース）又はＳＰＳで指定されたＰＵＣＣＨフォーマット１ａ／１ｂリソースを介して送信することができる。正のＡＣＫ／ＮＡＣＫは、ＳＲで指定されたＰＵＣＣＨフォーマット１ａ／１ｂリソースを介して送信することができる。その以外の場合にはＰＵＣＣＨフォーマット３で多重化して送信することができる。
【０２９３】
ＳＲとＣＳＩを同時送信する場合にはＰＵＣＣＨフォーマット３で多重化して送信することができる。ＡＣＫ／ＮＡＣＫ、ＳＲ、ＣＳＩを同時送信する場合にはＰＵＣＣＨフォーマット３で多重化して送信することができる。
【０２９４】
前述したように、ＬＴＥ−Ａシステムでは、ＰＵＣＣＨフォーマット３が導入されて複数のＡＣＫ／ＮＡＣＫを送信することができる。このとき、チャネルコーディングコードブック大きさ制限によるビット数制限（例えば、ＰＵＣＣＨフォーマット３の場合、最大２０ビット又は２２ビット）、物理的チャネルに送信されるＡＣＫ／ＮＡＣＫ以外のＵＣＩ（ＳＲ及び／又はＣＳＩ）ビット数によるＡＣＫ／ＮＡＣＫ情報ビット数の制限又はアップリンクチャネル状態によって送信可能な情報量が制限されることができる。前者をＹビット（例えば、２０又は２２ビット）であり、後者をＸビットであると仮定する。ここで、アップリンクチャネル状態によって、ＸビットをＲＲＣに設定し、又はＰＤＣＣＨにシグナリングすることができる。
【０２９５】
ＡＣＫ／ＮＡＣＫは、コードワード当たり一つずつ独立的な送信が可能であるため、一つのＵＬサブフレームに対応されるＤＬサブフレーム内のコードワード個数がＸ個を超過すると、コードワードをグループ化し、該当グループに対してＡＣＫ／ＮＡＣＫをバンドリングして送信することができる。このとき、下記のような規則を適用することができる。
【０２９６】
方法１．コードワード個数がＸを超過する場合、空間バンドリングを優先的に適用し、隣接したサブフレーム間の時間領域でのバンドリング又はＣＣ領域バンドリングを適用する方法
【０２９７】
１）コードワード個数がＸを超過する場合、まず、同じサブフレーム内のコードワードのＡＣＫ／ＮＡＣＫをバンドリングする。即ち、空間バンドリングする。
【０２９８】
２）空間バンドリングを介してもＡＣＫ／ＮＡＣＫビット数がＸビットを超過すると、時間領域バンドリングを追加的に適用する。時間領域バンドリングは、予め決められた規則によって、ＡＣＫ／ＮＡＣＫビット数がＸビット以下になる時まで実行する。予め決められた規則は、一例として、最初又は最後のサブフレームからグループ化する。
【０２９９】
３）時間領域バンドリングを介してもＡＣＫ／ＮＡＣＫビット数がＸビットを超過する場合、隣接したサブフレームグループを追加的に時間領域バンドリングする。時間領域バンドリングは、予め決められた規則によって、ＡＣＫ／ＮＡＣＫビット数がＸビットになる時まで実行する。予め決められた規則は、一例として、最初又は最後のサブフレームからグループ化する。
【０３００】
方法２．コードワード数がＸを超過する場合、空間バンドリングを優先的に適用し、バンドリングマスクによるバンドリングを適用する方法
【０３０１】
１）コードワード個数がＸを超過する場合、まず、空間バンドリングを適用する。
【０３０２】
２）空間バンドリングを介してもＡＣＫ／ＮＡＣＫビット数がＸビットを超過する場合、ＲＲＣでシグナリングされたバンドリングマスクによるバンドリングを実行する。バンドリングマスクは、バンドリンググループを指示する情報である。バンドリンググループは、ＣＣ領域又は時間領域で定義されることができる。
【０３０３】
方法３．コードワード数がＸを超過しないようにバンドリングを設定する方法
【０３０４】
Ｘ値の制限のためＸ値をシグナリングする代わりに、バンドリングの適用可否を直接設定することができる。このとき、バンドリング単位は、下記のうちいずれか一つである。
【０３０５】
全体ＣＣに対して全てのサブフレームに共通に空間バンドリングの適用可否を設定し、又は一つのＣＣ内の一つのサブフレーム単位に空間バンドリングの適用可否を設定し、又は同一ＣＣの全てのサブフレームに共通に空間バンドリングの適用可否を設定し、又は同じサブフレームの全てのＣＣに共通に空間バンドリングの適用可否を設定し、又は同じＤＬ  ＤＡＩ値を有する全てのサブフレームに共通に空間バンドリングの適用可否を設定することができる。
【０３０６】
Ｘは、Ｍ、即ち、一つのＵＬサブフレームに対応されるＤＬサブフレームの数によって変わることができる。例えば、ＴＤＤで、ＤＬ−ＵＬ設定＃１ではＭ＝２、Ｍ＝１が混在する。ＤＬ−ＵＬ設定＃３ではＭ＝３、Ｍ＝２が混在する（ＤＬ−ＵＬ設定＃１、３は、３ＧＰＰ  ＴＳ  ３６．２１１  Ｖ１０．２．０（２０１１−０６）ｔａｂｌｅ４．２−２を参照することができる）。このような場合、ＡＣＫ／ＮＡＣＫを送信しなければならないコードワードの個数がＭ値によって変わる。したがって、空間バンドリング適用可否をＭ値によって異なるように設定することができる。例えば、Ｍ＝３の時には空間バンドリングが適用されたＣＣが、Ｍ＝２の時には空間バンドリングが適用されない場合がある。
【０３０７】
または、Ｍ＝２の時、空間バンドリング設定が適用され、Ｍ＝１では常に空間バンドリング設定が適用されず、個別的ＡＣＫ／ＮＡＣＫが送信されるようにすることもできる。ＡＣＫ／ＮＡＣＫ送信フォーマットで物理的にサポートできないＹビット以上のバンドリング設定は、当然排除される。
【０３０８】
端末が互いに異なるＴＤＤ  ＤＬ−ＵＬ設定に設定されたＣＣを集約して使用することができる。この場合、ＡＣＫ／ＮＡＣＫを送信するＵＬサブフレームによって、該当ＵＬサブフレームに対応されるＤＬサブフレーム個数がＣＣ別に変わることができる。したがって、ＡＣＫ／ＮＡＣＫをフィードバックしなければならないコードワード個数が変わることができる。したがって、このような場合（プライマリセルの）ＵＬサブフレーム別に空間バンドリング設定を異なるようにすることができる。または、ＵＬサブフレームに対応されるプライマリセルのＤＬサブフレーム及びセコンダリセルのＤＬサブフレームの総コードワード個数別に空間バンドリング設定を異なるようにすることができる。また、ＣＳＩを送信するように設定されたＣＳＩサブフレームであるかどうかによって又はＣＳＩビット数の量によって、空間バンドリング設定を異なるようにすることができる。
【０３０９】
また、ＵＬサブフレーム別設定は、コードワード数変化の反復周期（例えば、セル別に互いに異なるＤＬ−ＵＬ設定を使用するＴＤＤでＨＡＲＱタイミングにより発生）、ＣＳＩ送信周期等を考慮して一つのフレーム単位のパターンが設定され、又は複数のフレーム単位のパターンが設定されることができる。
【０３１０】
他の方法として、セル別に互いに異なるＤＬ−ＵＬ設定が使われるＴＤＤで、Ａ／Ｎフィードバック構成の単純化のために全てのＣＣに対して常に空間バンドリングをすることも考慮することができる。
【０３１１】
他の方法として、多重ＡＣＫ／ＮＡＣＫとＣＳＩが同時送信されるように設定された場合には常に空間バンドリングを適用するように設定することができる。
【０３１２】
他の方法として、ＳＩＮＲの不足のため多重ＡＣＫ／ＮＡＣＫ空間バンドリングが端末に適用された場合、該当端末が多重ＡＣＫ／ＮＡＣＫとＣＳＩを多重化してＰＵＣＣＨに同時送信することを許容しないことも考慮することができる。このとき、ＡＣＫ／ＮＡＣＫは、ＡＲＩが存在する時のＡＣＫ／ＮＡＣＫ組合せに限定することもできる。即ち、ＡＲＩが存在する時のＡＣＫ／ＮＡＣＫ組合せである場合には、ＡＣＫ／ＮＡＣＫとＣＳＩの同時送信を許容せず、ＡＲＩが存在しない時のＡＣＫ／ＮＡＣＫの組合せである場合には、ＣＳＩとの同時送信を許容する。
【０３１３】
空間バンドリング以外に追加的なバンドリングが適用されることができる。追加的なバンドリングもＭ値、一つのＵＬサブフレームに対応される各コードワード個数によって異なるように適用されることができる。
【０３１４】
ＣＣ別空間バンドリング設定は、ＡＣＫ／ＮＡＣＫがＰＵＳＣＨにピギーバックされる場合にも同様に適用されることができる。即ち、ＰＵＳＣＨにピギーバックされるＡＣＫ／ＮＡＣＫは、ＰＵＳＣＨをスケジューリングするＵＬグラントがあり、これを介して送信されるＵＬ  ＤＡＩによってＡＣＫ／ＮＡＣＫペイロード大きさが実際スケジューリングされたＤＬ  ＰＤＳＣＨによって適応的に変わるようになる。ＣＣ別空間バンドリング設定をそのまま適用して端末の動作を単純化することができる。
【０３１５】
ＡＣＫ／ＮＡＣＫ空間バンドリングを柔軟にするために、ＰＵＳＣＨに送信される時のＡＣＫ／ＮＡＣＫ空間バンドリング可否と、ＰＵＣＣＨに送信される時のＡＣＫ／ＮＡＣＫ空間バンドリング可否と、を異なるように設定することができる。空間バンドリング可否をＭ値とＵＬ  ＤＡＩ値（又は、ＭとＵＬ  ＤＡＩの組合せ）によって、異なるように設定することができる。
【０３１６】
前述した方法１、２のように、最大送信可能なＡＣＫ／ＮＡＣＫ情報量（Ｘ）を基準に空間バンドリングを選択的に適用する場合、空間バンドリングを適用する時、全てのＣＣと時間領域で同時に適用することもできるが、Ｘに合わせて順次にバンドリングを適用することもできる。即ち、ＡＣＫ／ＮＡＣＫ情報量がＸになるように、一つのＰＤＳＣＨ単位に空間バンドリングを順次に適用し、又はＡＣＫ／ＮＡＣＫ情報量がＸ以下になるように同じＣＣ単位又は同じサブフレーム単位又は同じＤＬ  ＤＡＩ単位に空間バンドリングを順次に適用することができる。このような方法は、前述した方法１、２に限定されない。
【０３１７】
空間バンドリングを実行する順序は、予め決められたＣＣ順／サブフレーム順／ＤＡＩ順である。即ち、一つのＣＣをバンドリングした後、次のＣＣのバンドリングを実行することができる。
【０３１８】
このとき、全てのＣＣに同時にスケジューリングされる場合よりは特定ＣＣ、例えば、ＰＣＣでＰＤＳＣＨのスケジューリングがよく発生する可能性が大きいため、該当ＣＣで送信されるコードワードの個別的なＡＣＫ／ＮＡＣＫを維持することがデータ送信効率に有利である。したがって、ＰＣＣには、空間バンドリングは最後に適用する。
【０３１９】
ＰＣＣのインデックス値が０の場合、最後に空間バンドリングを適用するために、インデックスが最も大きいＣＣから空間バンドリングを順次に適用することができる。
【０３２０】
または、ＤＡＩ値が小さい順序にスケジューリングされるため、ＤＡＩ値が小さいものを最後に空間バンドリングするために、ＤＡＩが大きいサブフレームから空間バンドリングを漸進的に適用することができる。
【０３２１】
または、空間バンドリングが必要な場合、ＳＣＣ全体に空間バンドリングを優先的に適用し、それにもかかわらず、Ｘビットを超過する場合にのみ、ＰＣＣに空間バンドリングを適用することができる。
【０３２２】
本明細書で、空間バンドリングとは、一つのＣＣ内で一つのＤＬサブフレーム内で受信した複数のコードワードに対するＡＣＫ／ＮＡＣＫに対してバンドリングを実行することを意味する。例えば、２個のコードワードに対する各ＡＣＫ／ＮＡＣＫ（ＡＣＫの場合には１、ＮＡＣＫの場合には０又はその反対）を論理的ＡＮＤ演算して一つのＡＣＫ／ＮＡＣＫ情報を導出する。
【０３２３】
ＣＣ間バンドリングとは、端末に設定された互いに異なるＣＣの同じサブフレームで受信した複数のコードワードに対するＡＣＫ／ＮＡＣＫをバンドリングすることを意味する。例えば、端末にＤＬ  ＣＣ０、ＤＬ  ＣＣ１が設定された場合を仮定する。基地局がＤＬ  ＣＣ０のＤＬサブフレームＮで２個のコードワード、ＤＬ  ＣＣ１のＤＬサブフレームＮで１個のコードワードを送信することができる。このとき、端末は、前記３個のコードワードに対する３ビットＡＣＫ／ＮＡＣＫ情報に対してバンドリングを実行して１ビットＡＣＫ／ＮＡＣＫ情報を生成することができる。即ち、３個のコードワードの全てを受信成功した場合にのみＡＣＫを生成し、その以外の場合にはＮＡＣＫを生成する。
【０３２４】
ＣＣ間バンドリングは、全てのＤＬサブフレームに対して適用することもでき、決められた規則によって一部ＤＬサブフレームに対してのみ適用することもできる。
【０３２５】
時間領域でのバンドリングとは、端末が互いに異なるＤＬサブフレームで受信したデータユニット（ＰＤＳＣＨ、又はコードワード）に対するＡＣＫ／ＮＡＣＫに対してバンドリングを実行することを意味する。例えば、端末がＤＬ  ＣＣ０、ＤＬ  ＣＣ１の設定を受け、ＤＬ  ＣＣ０は２個のコードワードを受信することができるＭＩＭＯモードと仮定し、ＤＬ  ＣＣ１は１個のコードワードを受信することができる単一コードワード送信モードと仮定する。この場合、端末がＤＬ  ＣＣ０のＤＬサブフレーム１でコードワード０、コードワード１を成功的に受信し、ＤＬ  ＣＣ１のＤＬサブフレーム２でコードワード０のみを成功的に受信した場合、端末は、コードワード０に対してはＡＣＫを生成し、コードワード１に対してはＮＡＣＫを生成する。即ち、互いに異なるＤＬサブフレームで受信したコードワード別にＡＣＫ／ＮＡＣＫバンドリングを実行する。また、互いに異なるサブフレームで受信したコードワード別に連続的なＡＣＫの個数をカウントする方式も可能である。ここで、サブフレーム順序は、サブフレームインデックス又はＤＡＩによって決定されることができる。
【０３２６】
図２６は、本発明の実施例が具現される基地局及び端末を示すブロック図である。
【０３２７】
基地局１００は、プロセッサ（ｐｒｏｃｅｓｓｏｒ）１１０、メモリ（ｍｅｍｏｒｙ）１２０、及びＲＦ部（Ｒａｄｉｏ  Ｆｒｅｑｕｅｎｃｙ  ｕｎｉｔ）１３０を含む。プロセッサ１１０は、提案された機能、過程及び／又は方法を具現する。無線インターフェースプロトコルの階層は、プロセッサ１１０により具現されることができる。プロセッサ１１０は、ＲＲＣメッセージのような上位階層信号を介して周期的ＣＳＩ送信、ＳＲ送信を設定することができる。例えば、周期的ＣＳＩとＳＲ等を送信することができるサブフレームを知らせることができる。また、端末にＡＣＫ／ＮＡＣＫフィードバックに使用するＰＵＣＣＨフォーマット、例えば、ＰＵＣＣＨフォーマット３を使用するように設定することができる。メモリ１２０は、プロセッサ１１０と連結され、プロセッサ１１０を駆動するための多様な情報を格納する。ＲＦ部１３０は、プロセッサ１１０と連結され、無線信号を送信及び／又は受信する。
【０３２８】
端末２００は、プロセッサ２１０、メモリ２２０、及びＲＦ部２３０を含む。プロセッサ２１０は、提案された機能、過程及び／又は方法を具現する。無線インターフェースプロトコルの階層は、プロセッサ２１０により具現されることができる。プロセッサ２１０は、第１のＵＣＩと第２のＵＣＩの順序に連接されたビット列を生成する。第１のＵＣＩは、ＡＣＫ／ＮＡＣＫを含み、第２のＵＣＩは、周期的（ｐｅｒｉｏｄｉｃ）チャネル状態情報（ｃｈａｎｎｅｌ  ｓｔａｔｅ  ｉｎｆｏｒｍａｔｉｏｎ：ＣＳＩ）である。連接されたビット列は、第１のＵＣＩを示すビットの端（ｅｎｄ）に第２のＵＣＩを示すビットが追加（ａｐｐｅｎｄ）された形態である。連接されたビット列のビット数が特定範囲（１１超過２２以下）を有する場合、連接されたビット列をインターリービング（ｉｎｔｅｒｌｅａｖｉｎｇ）し、インターリービングは、連接されたビット列を第１のセグメント、第２のセグメントの順序に整列する。第１のセグメントは、連接されたビット列の偶数ビットインデックスを有するビットを含み、第２のセグメントは、連接されたビット列の奇数ビットインデックスを有するビットを含む。第１のセグメント及び第２のセグメントは、各々、ＲＭチャネルコーディング、即ち、二重ＲＭコーディングされた後、２ビットずつ交差する方式にインターリービングされた後に送信される（図１６参照）。メモリ２２０は、プロセッサ２１０と連結され、プロセッサ２１０を駆動するための多様な情報を格納する。ＲＦ部２３０は、プロセッサ２１０と連結され、無線信号を送信及び／又は受信する。
【０３２９】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部１３０、２３０は、無線信号を処理するためのベースバンド回路を含むことができる。実施例がソフトウェアで具現される時、前述した技法は、前述した機能を遂行するモジュール（過程、機能等）で具現されることができる。モジュールは、メモリ１２０、２２０に格納され、プロセッサ１１０、２１０により実行されることができる。メモリ１２０、２２０は、プロセッサ１１０、２１０の内部又は外部にあり、よく知られた多様な手段によりプロセッサ１１０、２１０と連結されることができる。
【図１】
0005820532.tif 000031
【図２】
0005820532.tif 000032
【図３】
0005820532.tif 000033
【図４】
0005820532.tif 000034
【図５】
0005820532.tif 000035
【図６】
0005820532.tif 000036
【図７】
0005820532.tif 000037
【図８】
0005820532.tif 000038
【図９】
0005820532.tif 000039
【図１０】
0005820532.tif 000040
【図１１】
0005820532.tif 000041
【図１２】
0005820532.tif 000042
【図１３】
0005820532.tif 000043
【図１４】
0005820532.tif 000044
【図１５】
0005820532.tif 000045
【図１６】
0005820532.tif 000046
【図１７】
0005820532.tif 000047
【図１８】
0005820532.tif 000048
【図１９】
0005820532.tif 000049
【図２０】
0005820532.tif 000050
【図２１】
0005820532.tif 000051
【図２２】
0005820532.tif 000052
【図２３】
0005820532.tif 000053
【図２４】
0005820532.tif 000054
【図２５】
0005820532.tif 000055
【図２６】
0005820532.tif 000056